(57)【要約】【課題】行動パターンに従って収集できる情報が変化する、無意識に意外性のある情報を収集できる試用コンテンツデータ交換装置を提供するという課題がある。【解決手段】携帯電話端末は、購入用コンテンツデータと試用コンテンツデータとを配信するためのコンテンツサーバ装置にネットワークを介して通信可能に接続して構成され、コンテンツサーバより取得した購入用コンテンツデータおよび試用コンテンツデータを記憶し、他の携帯電話端末を検知し、検知された他の携帯電話端末とピアツーピア通信により通信し、ピアツーピア通信により、他の携帯電話端末との間で試用コンテンツデータを交換する。【選択図】図１
2008003981.tif 000002
【特許請求の範囲】
【請求項１】
購入用コンテンツデータと試用コンテンツデータとを配信するためのコンテンツサーバ装置にネットワークを介して通信可能に接続して構成された携帯電話端末であって、
上記コンテンツサーバより取得した上記購入用コンテンツデータおよび上記試用コンテンツデータを記憶するコンテンツデータ記憶手段と、
他の携帯電話端末を検知する端末検知手段と、
上記端末検知手段により検知された上記他の携帯電話端末とピアツーピア通信により通信するピアツーピア通信手段と、
上記ピアツーピア通信手段により、上記他の携帯電話端末との間で上記試用コンテンツデータを交換する試用コンテンツデータ交換手段と、
を備えたことを特徴とする携帯電話端末。
【請求項２】
請求項１に記載の携帯電話端末において、
上記購入用コンテンツデータの購入数により購入用コンテンツをランキングしたランキングデータを記憶するランキングデータ記憶手段と、
上記ピアツーピア通信手段により、上記コンテンツデータ記憶手段にて記憶された上記購入用コンテンツデータおよび上記試用コンテンツデータに関するリスト情報を上記他の携帯電話端末との間で交換するコンテンツデータリスト交換手段と、
上記コンテンツデータリスト交換手段にて取得した上記リスト情報に基づいて、上記購入用コンテンツデータの購入数を集計し上記ランキングデータを更新するランキング更新手段と、
上記ランキングデータを表示装置に表示する際に、上記ランキングデータに含まれる上記購入用コンテンツに対応する試用コンテンツデータが上記コンテンツデータ記憶手段に記憶されている場合には、当該購入用コンテンツの表示領域に、当該購入用コンテンツに対応する上記試用コンテンツデータの再生を確認するための再生確認用アイコンを上記表示装置に表示するランキング表示手段と、
を備え、上記ランキング表示手段にて表示装置に表示された上記再生確認用アイコンを利用者が選択した場合に、当該再生確認用アイコンに対応する上記試用コンテンツデータを再生することを特徴とする携帯電話端末。
【請求項３】
請求項２に記載の携帯電話端末において、
上記利用者の属性に関する利用者属性情報を記憶する利用者属性情報記憶手段、
を更に備え、
上記コンテンツデータリスト交換手段は、上記利用者属性情報を上記リスト情報に付加して交換し、
上記ランキング更新手段は、上記利用者属性情報に従って上記ランキングデータの表示順序を変更するためのランキング条件を更新し、当該ランキング条件に従って上記ランキングデータを更新すること、
を特徴とする携帯電話端末。
【請求項４】
請求項２に記載の携帯電話端末において、
上記購入用コンテンツデータは、購入者ＩＤおよび購入日時を少なくとも含む追加情報が付加されており、
上記コンテンツデータリスト交換手段は、上記追加情報を上記リスト情報に付加して交換し、
上記ランキング更新手段は、上記購入用コンテンツデータの購入数を集計する際に、上記購入者ＩＤおよび上記購入日時が同一の上記購入用コンテンツデータについて当該購入数の集計から除外すること、
を特徴とする携帯電話端末。
【請求項５】
請求項２に記載の携帯電話端末において、
上記ランキング更新手段は、所定の時間が経過してから、上記ランキングデータの更新を行うことにより、上記ピアツーピア通信手段により通信した上記他の携帯電話端末の特定を困難にすること、
を特徴とする携帯電話端末。
【請求項６】
請求項２に記載の携帯電話端末において、
上記ランキング更新手段は、所定の回数の上記他の携帯電話端末との間で上記試用コンテンツデータ若しくは上記リスト情報を交換してから、上記ランキングデータの更新を行うことにより、上記ピアツーピア通信手段により通信した上記他の携帯電話端末の特定を困難にすること、
を特徴とする携帯電話端末。
【請求項７】
請求項１に記載の携帯電話端末において、
上記コンテンツサーバ装置から上記ネットワークを介して上記試用コンテンツデータを取得する試用コンテンツデータ取得手段、
を更に備えたことを特徴とする携帯電話端末。
【請求項８】
請求項１に記載の携帯電話端末において、
上記端末検知手段、上記ピアツーピア通信手段、および、上記試用コンテンツデータ交換手段を起動する場所および／または時間を制御するための起動制御手段、
を更に備えたことを特徴とする携帯電話端末。
【請求項９】
請求項１に記載の携帯電話端末において、
上記試用コンテンツデータ交換手段により上記試用コンテンツデータを取得した際に、取得を通知するための取得通知アイコンを上記表示装置に表示する取得通知アイコン表示手段、
を更に備えたことを特徴とする携帯電話端末。
【請求項１０】
請求項１に記載の携帯電話端末において、
上記購入用コンテンツデータまたは上記試用コンテンツデータは、音楽の楽曲データであることを特徴とする携帯電話端末。
【請求項１１】
請求項２に記載の携帯電話端末において、
上記購入用コンテンツデータは、購入した商品の購入商品情報、該商品を購入した店舗に関する店舗情報もしくは店舗カテゴリ情報、または、該店舗が取り扱う商品の店舗商品情報が付加されており、
上記コンテンツデータリスト交換手段は、
上記購入商品情報、上記店舗情報、上記店舗カテゴリ情報、または上記店舗商品情報を上記リスト情報に付加して交換し、
上記ランキング更新手段は、上記購入商品情報、上記店舗情報、上記店舗カテゴリ情報、または上記店舗商品情報に従って上記ランキングデータの表示順序を変更するためのランキング条件を更新し、当該ランキング条件に従って上記ランキングデータを更新すること、
を特徴とする携帯電話端末。
【請求項１２】
上記１に記載の携帯電話端末において、
上記ネットワークを介して、店舗に設置された店舗サーバ装置からクーポン情報を取得するクーポン情報取得手段と、
上記クーポン情報取得手段によって、上記クーポン情報を取得した場合に、上記クーポン情報を通知するためのクーポンアイコンを上記表示装置に表示するクーポンアイコン表示手段と、
をさらに備えたことを特徴とする携帯電話端末。
【請求項１３】
請求項１から１２に記載の携帯電話端末において、
上記端末検知手段、上記ピアツーピア通信手段、上記試用コンテンツデータ交換手段、上記コンテンツデータリスト交換手段、上記ランキング更新手段、上記ランキング表示手段、上記利用者属性情報手段、上記試用コンテンツデータ取得手段、上記起動制御手段、上記取得通知アイコン表示手段、上記クーポン情報取得手段、または上記クーポンアイコン表示手段として上記携帯電話端末に機能させるためのプログラムを、該プログラムを記憶した上記コンテンツサーバ装置からダウンロードするプログラムダウンロード手段を、
さらに備えたことを特徴とする携帯電話端末。
【請求項１４】
購入用コンテンツデータと試用コンテンツデータとを配信するためのコンテンツサーバ装置と、複数の携帯電話端末とを、ネットワークを介して通信可能に接続して構成された試用コンテンツデータ交換システムにおいて、
上記携帯電話端末は、
上記コンテンツサーバより取得した上記購入用コンテンツデータおよび上記試用コンテンツデータを記憶するコンテンツデータ記憶手段と、
他の携帯電話端末を検知する端末検知手段と、
上記端末検知手段により検知された上記他の携帯電話端末とピアツーピア通信により通信するピアツーピア通信手段と、
上記ピアツーピア通信手段により、上記他の携帯電話端末との間で上記試用コンテンツデータを交換する試用コンテンツデータ交換手段と、
上記購入用コンテンツデータの購入数により上記購入用コンテンツをランキングしたランキングデータを記憶するランキングデータ記憶手段と、
上記ピアツーピア通信手段により、上記コンテンツデータ記憶手段にて記憶された上記購入用コンテンツデータおよび上記試用コンテンツデータに関するリスト情報を上記他の携帯電話端末との間で交換するコンテンツデータリスト交換手段と、
上記コンテンツデータリスト交換手段にて取得した上記リスト情報に基づいて、上記購入用コンテンツデータの購入数を集計し上記ランキングデータを更新するランキング更新手段と、
上記ランキングデータを表示装置に表示する際に、上記ランキングデータに含まれる上記購入用コンテンツに対応する試用コンテンツデータが上記コンテンツデータ記憶手段に記憶されている場合には、当該購入用コンテンツの表示領域に、当該購入用コンテンツに対応する上記試用コンテンツデータの再生を確認するための再生確認用アイコンを上記表示装置に表示するランキング表示手段と、
を備え、上記ランキング表示手段にて表示装置に表示された上記再生確認用アイコンを利用者が選択した場合に、当該再生確認用アイコンに対応する上記試用コンテンツデータを上記再生すること、を特徴とする試用コンテンツデータ交換システム。
【請求項１５】
請求項１４に記載の試用コンテンツデータ交換システムにおいて、
上記携帯電話端末は、
上記利用者の属性に関する利用者属性情報を記憶する利用者属性情報記憶手段、
を更に備え、
上記コンテンツデータリスト交換手段は、上記利用者属性情報を上記リスト情報に付加して交換し、
上記ランキング更新手段は、上記利用者属性情報に従って上記ランキングデータの表示順序を変更するためのランキング条件を更新し、当該ランキング条件に従って上記ランキングデータを更新すること、
を特徴とする試用コンテンツデータ交換システム。
【請求項１６】
請求項１４に記載の試用コンテンツデータ交換システムにおいて、
上記購入用コンテンツデータは、購入者ＩＤおよび購入日時を少なくとも含む追加情報が付加されており、
上記コンテンツデータリスト交換手段は、上記追加情報を上記リスト情報に付加して交換し、
上記ランキング更新手段は、上記購入用コンテンツデータの購入数を集計する際に、上記購入者ＩＤおよび上記購入日時が同一の上記購入用コンテンツデータについて当該購入数の集計から除外すること、
を特徴とする試用コンテンツデータ交換システム。
【請求項１７】
請求項１４に記載の試用コンテンツデータ交換システムにおいて、
上記ランキング更新手段は、所定の時間が経過してから、上記ランキングデータの更新を行うことにより、上記ピアツーピア通信手段により通信した上記他の携帯電話端末の特定を困難にすること、
を特徴とする試用コンテンツデータ交換システム。
【請求項１８】
請求項１４に記載の試用コンテンツデータ交換システムにおいて、
上記ランキング更新手段は、所定の回数の上記他の携帯電話端末との間で上記試用コンテンツデータ若しくは上記リスト情報を交換してから、上記ランキングデータの更新を行うことにより、上記ピアツーピア通信手段により通信した上記他の携帯電話端末の特定を困難にすること、
を特徴とする試用コンテンツデータ交換システム。
【請求項１９】
請求項１４に記載の試用コンテンツデータ交換システムにおいて、
上記コンテンツサーバ装置から上記ネットワークを介して上記試用コンテンツデータを取得する試用コンテンツデータ取得手段、
を更に備えたことを特徴とする試用コンテンツデータ交換システム。
【請求項２０】
請求項１４に記載の試用コンテンツデータ交換システムにおいて、
上記携帯電話端末は、
上記端末検知手段、上記ピアツーピア通信手段、および、上記試用コンテンツデータ交換手段を起動する場所および／または時間を制御するための起動制御手段、
を更に備えたことを特徴とする試用コンテンツデータ交換システム。
【請求項２１】
請求項１４に記載の試用コンテンツデータ交換システムにおいて、
上記携帯電話端末は、
上記試用コンテンツデータ交換手段により上記試用コンテンツデータを取得した際に、取得を通知するための取得通知アイコンを上記表示装置に表示する取得通知アイコン表示手段、
を更に備えたことを特徴とする試用コンテンツデータ交換システム。
【請求項２２】
請求項１４に記載の試用コンテンツデータ交換システムにおいて、
上記購入用コンテンツデータまたは上記試用コンテンツデータは、音楽の楽曲データであることを特徴とする試用コンテンツデータ交換システム。
【請求項２３】
請求項１４に記載の試用コンテンツデータ交換システムにおいて、
上記購入用コンテンツデータは、購入した商品の購入商品情報、該商品を購入した店舗に関する店舗情報もしくは店舗カテゴリ情報、または、該店舗が取り扱う商品の店舗商品情報が付加されており、
上記コンテンツデータリスト交換手段は、
上記購入商品情報、上記店舗情報、上記店舗カテゴリ情報、または上記店舗商品情報を上記リスト情報に付加して交換し、
上記ランキング更新手段は、上記購入商品情報、上記店舗情報、上記店舗カテゴリ情報、または上記店舗商品情報に従って上記ランキングデータの表示順序を変更するためのランキング条件を更新し、当該ランキング条件に従って上記ランキングデータを更新すること、
を特徴とする試用コンテンツデータ交換システム。
【請求項２４】
上記１４に記載の試用コンテンツデータ交換システムにおいて、
上記携帯電話端末は、
上記ネットワークを介して、店舗に設置された店舗サーバ装置からクーポン情報を取得するクーポン情報取得手段と、
上記クーポン情報取得手段によって、上記クーポン情報を取得した場合に、上記クーポン情報を通知するためのクーポンアイコンを上記表示装置に表示するクーポンアイコン表示手段と、
をさらに備えたことを特徴とする試用コンテンツデータ交換システム。
【請求項２５】
請求項１４から２１に記載の試用コンテンツデータ交換システムにおいて、
上記携帯電話端末は、
上記端末検知手段、上記ピアツーピア通信手段、上記試用コンテンツデータ交換手段、上記コンテンツデータリスト交換手段、上記ランキング更新手段、上記ランキング表示手段、上記利用者属性情報手段、上記試用コンテンツデータ取得手段、上記起動制御手段、上記取得通知アイコン表示手段、上記クーポン情報取得手段、または上記クーポンアイコン表示手段として上記携帯電話端末に機能させるためのプログラムを、該プログラムを記憶した上記コンテンツサーバ装置からダウンロードするプログラムダウンロード手段を、
さらに備えたことを特徴とする試用コンテンツデータ交換システム。
【請求項２６】
購入用コンテンツデータと試用コンテンツデータとを配信するためのコンテンツサーバ装置と、複数の携帯電話端末とを、ネットワークを介して通信可能に接続して構成した試用コンテンツデータ交換システムにおける試用コンテンツデータ交換方法であって、
上記携帯電話端末は、少なくとも記憶装置と制御装置と表示装置とを備えており、
上記記憶装置の記憶装置は、
上記コンテンツサーバより取得した上記購入用コンテンツデータおよび上記試用コンテンツデータを記憶するコンテンツデータ記憶手段と、
上記購入用コンテンツをランキングしたランキングデータを記憶するランキングデータ記憶手段と、
を有しており、
上記制御装置において実行される、
他の携帯電話端末を検知する端末検知ステップと、
上記端末検知ステップにより検知された上記他の携帯電話端末とピアツーピア通信により通信するピアツーピア通信ステップと、
上記ピアツーピア通信ステップにより、上記他の携帯電話端末との間で上記試用コンテンツデータを交換する試用コンテンツデータ交換ステップと、
上記ピアツーピア通信ステップにより、上記コンテンツデータ記憶手段にて記憶された上記購入用コンテンツデータおよび上記試用コンテンツデータに関するリスト情報を上記他の携帯電話端末との間で交換するコンテンツデータリスト交換ステップと、
上記コンテンツデータリスト交換ステップにて取得した上記リスト情報に基づいて、上記購入用コンテンツデータの購入数を集計し上記ランキングデータを更新するランキング更新ステップと、
上記ランキングデータを上記表示装置に表示する際に、上記ランキングデータに含まれる、上記購入用コンテンツに対応する試用コンテンツデータが上記コンテンツデータ記憶手段に記憶されている場合には、当該購入用コンテンツの表示領域に、当該購入用コンテンツに対応する上記試用コンテンツデータの再生を確認するための再生確認用アイコンを上記表示装置に表示するランキング表示ステップと、
を含み、上記ランキング表示ステップにて表示装置に表示された上記再生確認用アイコンを利用者が選択した場合に、当該再生確認用アイコンに対応する上記試用コンテンツデータを再生することを特徴とする試用コンテンツデータ交換方法。
【請求項２７】
請求項２６に記載の試用コンテンツデータ交換方法において、
上記記憶装置は、
上記利用者の属性に関する利用者属性情報を記憶する利用者属性情報記憶手段、
を更に備え、
上記コンテンツデータリスト交換ステップは、上記利用者属性情報を上記リスト情報に付加して交換し、
上記ランキング更新ステップは、上記利用者属性情報に従って上記ランキングデータの表示順序を変更するためのランキング条件を更新し、当該ランキング条件に従って上記ランキングデータを更新すること、
を特徴とする試用コンテンツデータ交換方法。
【請求項２８】
請求項２６に記載の試用コンテンツデータ交換方法において、
上記購入用コンテンツデータは、購入者ＩＤおよび購入日時を少なくとも含む追加情報が付加されており、
上記コンテンツデータリスト交換ステップは、上記追加情報を上記リスト情報に付加して交換し、
上記ランキング更新ステップは、上記購入用コンテンツデータの購入数を集計する際に、上記購入者ＩＤおよび上記購入日時が同一の上記購入用コンテンツデータについて当該購入数の集計から除外すること、
を特徴とする試用コンテンツデータ交換方法。
【請求項２９】
請求項２６に記載の試用コンテンツデータ交換方法において、
上記ランキング更新ステップは、所定の時間が経過してから、上記ランキングデータの更新を行うことにより、上記ピアツーピア通信ステップにより通信した上記他の携帯電話端末の特定を困難にすること、
を特徴とする試用コンテンツデータ交換方法。
【請求項３０】
請求項２６に記載の試用コンテンツデータ交換方法において、
上記ランキング更新ステップは、所定の回数の上記他の携帯電話端末との間で上記試用コンテンツデータ若しくは上記リスト情報を交換してから、上記ランキングデータの更新を行うことにより、上記ピアツーピア通信ステップにより通信した上記他の携帯電話端末の特定を困難にすること、
を特徴とする試用コンテンツデータ交換方法。
【請求項３１】
請求項２６に記載の試用コンテンツデータ交換方法において、
上記制御装置において実行される、
上記コンテンツサーバ装置から上記ネットワークを介して上記試用コンテンツデータを取得する試用コンテンツデータ取得ステップ、
を更に備えたことを特徴とする試用コンテンツデータ交換方法。
【請求項３２】
請求項２６に記載の試用コンテンツデータ交換方法において、
上記制御装置において実行される、
上記端末検知ステップ、上記ピアツーピア通信ステップ、および、上記試用コンテンツデータ交換ステップを起動する場所および／または時間を制御するための起動制御ステップ、
を更に備えたことを特徴とする試用コンテンツデータ交換方法。
【請求項３３】
請求項２６に記載の試用コンテンツデータ交換方法において、
上記制御装置において実行される、
上記試用コンテンツデータ交換ステップにより上記試用コンテンツデータを取得した際に、取得を通知するための取得通知アイコンを上記表示装置に表示する取得通知アイコン表示ステップ、
を更に備えたことを特徴とする試用コンテンツデータ交換方法。
【請求項３４】
請求項２６に記載の試用コンテンツデータ交換方法において、
上記購入用コンテンツデータまたは上記試用コンテンツデータは、音楽の楽曲データであることを特徴とする試用コンテンツデータ交換方法。
【請求項３５】
請求項２６に記載の試用コンテンツデータ交換方法において、
上記購入用コンテンツデータは、購入した商品の購入商品情報、該商品を購入した店舗に関する店舗情報もしくは店舗カテゴリ情報、または、該店舗が取り扱う商品の店舗商品情報が付加されており、
上記コンテンツデータリスト交換ステップは、
上記購入商品情報、上記店舗情報、上記店舗カテゴリ情報、または上記店舗商品情報を上記リスト情報に付加して交換し、
上記ランキング更新ステップは、上記購入商品情報、上記店舗情報、上記店舗カテゴリ情報、または上記店舗商品情報に従って上記ランキングデータの表示順序を変更するためのランキング条件を更新し、当該ランキング条件に従って上記ランキングデータを更新すること、
を特徴とする試用コンテンツデータ交換方法。
【請求項３６】
上記２６に記載の試用コンテンツデータ交換方法において、
上記制御装置において実行される、
上記ネットワークを介して、店舗に設置された店舗サーバ装置からクーポン情報を取得するクーポン情報取得ステップと、
上記クーポン情報取得ステップによって、上記クーポン情報を取得した場合に、上記クーポン情報を通知するためのクーポンアイコンを上記表示装置に表示するクーポンアイコン表示ステップと、
をさらに備えたことを特徴とする試用コンテンツデータ交換方法。
【請求項３７】
請求項２６から３６に記載の試用コンテンツデータ交換方法において、
上記制御装置において実行される、
上記端末検知ステップ、上記ピアツーピア通信ステップ、上記試用コンテンツデータ交換ステップ、上記コンテンツデータリスト交換ステップ、上記ランキング更新ステップ、上記ランキング表示ステップ、上記利用者属性情報ステップ、上記試用コンテンツデータ取得ステップ、上記起動制御ステップ、上記取得通知アイコン表示ステップ、上記クーポン情報取得ステップ、または上記クーポンアイコン表示ステップを上記制御装置に実行させるためのプログラムを、該プログラムを記憶した上記コンテンツサーバ装置からダウンロードするプログラムダウンロードステップを、
さらに備えたことを特徴とする試用コンテンツデータ交換方法。
【発明の詳細な説明】
【技術分野】
【０００１】
本発明は、携帯電話端末、試用コンテンツデータ交換システム、および試用コンテンツデータ交換方法に関するものである。
【背景技術】
【０００２】
従来のコンテンツの配信システムを用いた購入コンテンツ等のランキングの集計は、インターネットを使った人気ランキングの集計に代表されるように、コンテンツのダウンロード回数をサーバで収集する方法や人気投票に基づくものがある。
【０００３】
しかしながら、従来のランキング集計では、実際のコンテンツ再生などの利用実態が反映されないこと、また利用者が多くなると大規模なサーバを維持管理しなければならず、設備コストがかかるという問題がある。
【０００４】
ここで、（特許文献１）は、ピアツーピア通信で人気ランキングを集計する方法であり、利用者の端末装置にコンテンツの視聴に伴う操作履歴を蓄積し、主催者は、集計したい利用者の蓄積情報を項目ごとに集める方法である。
【特許文献１】特開２００５−２５６７７号公報
【発明の開示】
【発明が解決しようとする課題】
【０００５】
しかしながら、従来のランキング集計方法は、大規模統計収集型であり画一化されたランキングを得られるが、自分の行動パターンにしたがった地域的・個性的なランキング集計をできないという問題が生じる。
【０００６】
特に、（特許文献１）に記載のランキング集計方法においては、ピアツーピア通信を行うものであるが、利用者の立場と主催者の立場が分けられており、利用者は一方的に情報提供者となる。そのため（特許文献１）のランキング集計方法を使用した場合、個々の利用者が、利用者端末同士で情報を交換し合い、ランキングを得ることができないという問題がある。
【０００７】
また、（特許文献１）に記載のランキング集計方法においては、ランキングの集計とともに、試用コンテンツデータを取得する構成ではないため、利用者がランキング結果により購入用コンテンツに興味を持ったときに、すぐに試用コンテンツデータを再生してみることができず、利用者の購入意欲を減退させてしまうという問題がある。
【０００８】
本発明が解決しようとする課題には上述した問題が一例として挙げられる。
【０００９】
本発明は、上記に鑑みてなされたものであって、サーバ装置を必要とせずに、ピアツーピア通信により、携帯電話端末同士で試用コンテンツ情報・購入コンテンツリスト情報を収集することを可能とする携帯電話端末、試用コンテンツデータ交換システム、および試用コンテンツデータ交換方法を提供することを目的とするものである。
【課題を解決するための手段】
【００１０】
上記課題を解決するために本発明は、購入用コンテンツデータと試用コンテンツデータとを配信するためのコンテンツサーバ装置にネットワークを介して通信可能に接続して構成された携帯電話端末であって、コンテンツサーバより取得した購入用コンテンツデータおよび試用コンテンツデータを記憶するコンテンツデータ記憶手段と、他の携帯電話端末を検知する端末検知手段と、端末検知手段により検知された他の携帯電話端末とピアツーピア通信により通信するピアツーピア通信手段と、ピアツーピア通信手段により、他の携帯電話端末との間で試用コンテンツデータを交換する試用コンテンツデータ交換手段と、を備えたものである。
【００１１】
また本発明は、記載の携帯電話端末において、購入用コンテンツデータの購入数により購入用コンテンツをランキングしたランキングデータを記憶するランキングデータ記憶手段と、ピアツーピア通信手段により、コンテンツデータ記憶手段にて記憶された購入用コンテンツデータおよび試用コンテンツデータに関するリスト情報を他の携帯電話端末との間で交換するコンテンツデータリスト交換手段と、コンテンツデータリスト交換手段にて取得したリスト情報に基づいて、購入用コンテンツデータの購入数を集計しランキングデータを更新するランキング更新手段と、ランキングデータを表示装置に表示する際に、ランキングデータに含まれる購入用コンテンツに対応する試用コンテンツデータがコンテンツデータ記憶手段に記憶されている場合には、当該購入用コンテンツの表示領域に、当該購入用コンテンツに対応する試用コンテンツデータの再生を確認するための再生確認用アイコンを表示装置に表示するランキング表示手段と、を備え、ランキング表示手段にて表示装置に表示された再生確認用アイコンを利用者が選択した場合に、当該再生確認用アイコンに対応する試用コンテンツデータを再生するものである。
【００１２】
また本発明は、購入用コンテンツデータと試用コンテンツデータとを配信するためのコンテンツサーバ装置と、複数の携帯電話端末とを、ネットワークを介して通信可能に接続して構成した試用コンテンツデータ交換システムにおいて、携帯電話端末は、コンテンツサーバより取得した購入用コンテンツデータおよび試用コンテンツデータを記憶するコンテンツデータ記憶手段と、他の携帯電話端末を検知する端末検知手段と、端末検知手段により検知された他の携帯電話端末とピアツーピア通信により通信するピアツーピア通信手段と、ピアツーピア通信手段により、他の携帯電話端末との間で試用コンテンツデータを交換する試用コンテンツデータ交換手段と、購入用コンテンツデータの購入数により購入用コンテンツをランキングしたランキングデータを記憶するランキングデータ記憶手段と、ピアツーピア通信手段により、コンテンツデータ記憶手段にて記憶された購入用コンテンツデータおよび試用コンテンツデータに関するリスト情報を他の携帯電話端末との間で交換するコンテンツデータリスト交換手段と、上記コンテンツデータリスト交換手段にて取得したリスト情報に基づいて、購入用コンテンツデータの購入数を集計しランキングデータを更新するランキング更新手段と、ランキングデータを表示装置に表示する際に、ランキングデータに含まれる購入用コンテンツに対応する試用コンテンツデータがコンテンツデータ記憶手段に記憶されている場合には、当該購入用コンテンツの表示領域に、当該購入用コンテンツに対応する試用コンテンツデータの再生を確認するための再生確認用アイコンを表示装置に表示するランキング表示手段と、を備え、ランキング表示手段にて表示装置に表示された再生確認用アイコンを利用者が選択した場合に、当該再生確認用アイコンに対応する試用コンテンツデータを再生するものである。
【００１３】
また、購入用コンテンツデータと試用コンテンツデータとを配信するためのコンテンツサーバ装置と、複数の携帯電話端末とを、ネットワークを介して通信可能に接続して構成した試用コンテンツデータ交換システムにおける試用コンテンツデータ交換方法であって、携帯電話端末は、少なくとも記憶装置と制御装置と表示装置とを備えており、記憶装置は、コンテンツサーバより取得した購入用コンテンツデータおよび試用コンテンツデータを記憶するコンテンツデータ記憶手段と、購入用コンテンツをランキングしたランキングデータを記憶するランキングデータ記憶手段と、を有しており、制御装置において実行される、他の携帯電話端末を検知する端末検知ステップと、端末検知ステップにより検知された他の携帯電話端末とピアツーピア通信により通信するピアツーピア通信ステップと、ピアツーピア通信手段により、他の携帯電話端末との間で試用コンテンツデータを交換する試用コンテンツデータ交換ステップと、ピアツーピア通信ステップにより、コンテンツデータ記憶手段にて記憶された購入用コンテンツデータおよび試用コンテンツデータに関するリスト情報を他の携帯電話端末との間で交換するコンテンツデータリスト交換ステップと、コンテンツデータリスト交換ステップにて取得したリスト情報に基づいて、購入用コンテンツデータの購入数を集計しランキングデータを更新するランキング更新ステップと、ランキングデータを表示装置に表示する際に、ランキングデータに含まれる、購入用コンテンツに対応する試用コンテンツデータがコンテンツデータ記憶手段に記憶されている場合には、当該購入用コンテンツの表示領域に、当該購入用コンテンツに対応する試用コンテンツデータの再生を確認するための再生確認用アイコンを表示装置に表示するランキング表示ステップと、を含み、ランキング表示ステップにて表示装置に表示された再生確認用アイコンを利用者が選択した場合に、当該再生確認用アイコンに対応する試用コンテンツデータを再生するものである。
【発明の効果】
【００１４】
本発明によれば、利用者は、無意識のうちに他の利用者と試用コンテンツを交換することができる携帯電話端末、試用コンテンツデータ交換システム、および、試用コンテンツデータ交換方法が得られる。
【００１５】
また、利用者の行動範囲である地域に密着した情報・ランキングを得ることができ、無意識に情報を収集するため、個性的な意外性のあるランキングを得ることができる。また、ランキングの集計とともに、試用コンテンツデータを取得するので、利用者がランキング結果により購入用コンテンツに興味を持ったときに、利用者の購入意欲を減退させることなく、すぐに試用コンテンツデータを再生してみることができる携帯電話端末、試用コンテンツデータ交換システム、および、試用コンテンツデータ交換方法が得られる。
【００１６】
また、利用者は自分が収集したい属性をランキング条件をして設定し、ランキングに反映させることができ、より個性的で利用者の知りたいランキング情報を出力することができる携帯電話端末、試用コンテンツデータ交換システム、および、試用コンテンツデータ交換方法が得られる。
【００１７】
また、重複した購入者からの情報を排除することができ、より正確なランキングを出力できる携帯電話端末、試用コンテンツデータ交換システム、および、試用コンテンツデータ交換方法が得られる。
【００１８】
また、ピアツーピア通信により通信した他の携帯電話端末の特定を困難にすることができ、匿名性を確保することができる携帯電話端末、試用コンテンツデータ交換システム、および、試用コンテンツデータ交換方法が得られる。
【００１９】
また、携帯電話同士のピアツーピア通信でリスト情報のみを交換し、試用コンテンツデータを交換することができなかった場合でも、当該試用コンテンツ情報をコンテンツサーバ装置から補完することができる携帯電話端末、試用コンテンツデータ交換システム、および、試用コンテンツデータ交換方法が得られる。
【００２０】
また、利用者がリスト情報または試用コンテンツデータを交換したいときに、意識的にリスト情報または試用コンテンツデータの情報交換をすることができる携帯電話端末、試用コンテンツデータ交換システム、および、試用コンテンツデータ交換方法が得られる。
【００２１】
また、上記記載の発明において、試用コンテンツデータの交換により、試用コンテンツデータを取得した際に、取得を通知するための取得通知アイコンを表示装置に表示するので、利用者は新着情報をいち早く知ることができる携帯電話端末、試用コンテンツデータ交換システム、および、試用コンテンツデータ交換方法が得られる。
【００２２】
要約すれば、本発明によれば、利用者は、無意識に意外性のある情報を収集でき、個性的なランキングを得ることができる。特に、行動パターンに従って収集できる情報が変化するので、利用者の行動範囲である地域に密着した情報・ランキングを得ることができる。具体的には、多数の利用者と出会う場所では、多くの情報を集めることができ、匿名性を維持しつつ知人等の身近な人と気軽に情報を交換することができる。また同時に、試用コンテンツを交換することができるので、ランキング結果から利用者が興味を持った場合に、すぐに利用コンテンツデータを再生してみることができるという効果を奏する。
【発明を実施するための最良の形態】
【００２３】
本発明の第１の発明の携帯電話端末、試用コンテンツデータ交換システム、および、試用コンテンツデータ交換方法は、購入用コンテンツデータと試用コンテンツデータとを配信するためのコンテンツサーバ装置にネットワークを介して通信可能に接続して構成された携帯電話端末、又は、購入用コンテンツデータと試用コンテンツデータとを配信するためのコンテンツサーバ装置と複数の携帯電話端末とをネットワークを介して通信可能に接続して構成された試用コンテンツデータ交換システム、若しくは、当該試用コンテンツデータ交換システムにおける試用コンテンツデータ交換方法であって、上記携帯電話端末は、少なくとも記憶装置と制御装置と表示装置を備え、上記記憶装置は、上記コンテンツサーバより取得した上記購入用コンテンツデータおよび上記試用コンテンツデータを記憶するコンテンツデータ記憶手段を備え、上記制御装置は（において実行される）、他の携帯電話端末を検知する端末検知手段（ステップ）と、上記端末検知手段により検知された上記他の携帯電話端末とピアツーピア通信により通信するピアツーピア通信手段（ステップ）と、上記ピアツーピア通信手段により、上記他の携帯電話端末との間で上記試用コンテンツデータを交換する試用コンテンツデータ交換手段（ステップ）と、を備えた（含んだ）ものであり、コンテンツサーバより取得した購入用コンテンツデータおよび試用コンテンツデータを記憶し、他の携帯電話端末を検知し、検知された他の携帯電話端末とピアツーピア通信により通信し、ピアツーピア通信により、他の携帯電話端末との間で試用コンテンツデータを交換するので、利用者は、無意識のうちに他の利用者と試用コンテンツを交換することができるという作用を有する。
【００２４】
第２の発明の携帯電話端末、試用コンテンツデータ交換システム、および、試用コンテンツデータ交換方法は、更に、上記記憶装置は、購入用コンテンツデータの購入数により購入用コンテンツをランキングしたランキングデータを記憶するランキングデータ記憶手段を備え、上記制御装置は（において実行される）、ピアツーピア通信手段により、コンテンツデータ記憶手段にて記憶された購入用コンテンツデータおよび試用コンテンツデータに関するリスト情報を他の携帯電話端末との間で交換するコンテンツデータリスト交換手段（ステップ）と、コンテンツデータリスト交換手段（ステップ）にて取得したリスト情報に基づいて、購入用コンテンツデータの購入数を集計しランキングデータを更新するランキング更新手段（ステップ）と、ランキングデータを表示装置に表示する際に、ランキングデータに含まれる購入用コンテンツに対応する試用コンテンツデータがコンテンツデータ記憶手段に記憶されている場合には、当該購入用コンテンツの表示領域に、当該購入用コンテンツに対応する試用コンテンツデータの取得を確認するための取得確認用アイコンを表示装置に表示するランキング表示手段（ステップ）と、を備え（含み）、ランキング表示手段にて表示装置に表示された取得確認用アイコンを利用者が選択した場合に当該取得確認用アイコンに対応する試用コンテンツデータを再生するとしたものであり、上記の発明において更に、携帯電話端末は購入用コンテンツデータの購入数により購入用コンテンツをランキングしたランキングデータを記憶し、ピアツーピア通信により、記憶された購入用コンテンツデータおよび試用コンテンツデータに関するリスト情報を他の携帯電話端末との間で交換し、取得したリスト情報に基づいて、購入用コンテンツデータの購入数を集計しランキングデータを更新し、ランキングデータを表示装置に表示する際に、ランキングデータに含まれる購入用コンテンツに対応する試用コンテンツデータが記憶されている場合には、当該購入用コンテンツの表示領域に、当該購入用コンテンツに対応する試用コンテンツデータの再生を確認するための再生確認用アイコンを表示装置に表示し、表示装置に表示された再生確認用アイコンを利用者が選択した場合に当該再生確認用アイコンに対応する試用コンテンツデータを再生するので、行動パターンに従って収集できる情報が変化し、利用者の行動範囲である地域に密着した情報・ランキングを得ることができ、無意識に情報を収集するため、個性的な意外性のあるランキングを得ることができる。また、ランキングの集計とともに、試用コンテンツデータを取得するので、利用者がランキング結果により購入用コンテンツに興味を持ったときに、利用者の購入意欲を減退させることなく、すぐに試用コンテンツデータを再生してみることができるという作用を有する。
【００２５】
第３の発明の携帯電話端末、試用コンテンツデータ交換システム、および、試用コンテンツデータ交換方法は、更に、上記記憶装置は、上記利用者の属性に関する利用者属性情報を記憶する利用者属性情報記憶手段を備え、上記制御部は（において実行される）、上記コンテンツデータリスト交換手段（ステップ）は、上記利用者属性情報を上記リスト情報に付加して交換し、上記ランキング更新手段（ステップ）は、上記利用者属性情報に従って上記ランキングデータの表示順序を変更するためのランキング条件を更新し、当該ランキング条件に従って上記ランキングデータを更新するとしたものであり、上記の発明において更に、利用者の属性に関する利用者属性情報を記憶し、コンテンツデータリストの交換の際に、利用者属性情報をリスト情報に付加して交換し、ランキング更新のときに、利用者属性情報に従ってランキングデータの表示順序を変更するためのランキング条件を更新し、当該ランキング条件に従ってランキングデータを更新するので、利用者は自分が収集したい属性を、ランキング条件をして設定し、ランキングに反映させることができ、より個性的で利用者の知りたいランキング情報を出力することができるという作用を有する。
【００２６】
本発明の第４の発明の携帯電話端末、試用コンテンツデータ交換システム、および、試用コンテンツデータ交換方法は、更に、上記購入用コンテンツデータは、購入者ＩＤおよび購入日時を少なくとも含む追加情報が付加されており、上記コンテンツデータリスト交換手段（ステップ）は、上記追加情報を上記リスト情報に付加して交換し、上記ランキング更新手段（ステップ）は、上記購入用コンテンツデータの購入数を集計する際に、上記購入者ＩＤおよび上記購入日時が同一の上記購入用コンテンツデータについて当該購入数の集計から除外するとしたものであり、上記の発明において更に、購入用コンテンツデータは、購入者ＩＤおよび購入日時を少なくとも含む追加情報が付加されており、コンテンツデータリストの交換の際に、追加情報をリスト情報に付加して交換し、ランキングの更新の場合で、購入用コンテンツデータの購入数を集計する際に、購入者ＩＤおよび購入日時が同一の購入用コンテンツデータについて当該購入数の集計から除外するので、重複した購入者からの情報を排除することができ、より正確なランキングを出力できるという作用を有する。
【００２７】
本発明の第５の発明の携帯電話端末、試用コンテンツデータ交換システム、および、試用コンテンツデータ交換方法は、更に、上記ランキング更新手段（ステップ）は、所定の時間が経過してから、上記ランキングデータの更新を行うことにより、上記ピアツーピア通信手段により通信した上記他の携帯電話端末の特定を困難にするとしたものであり、上記の発明において更に、ランキングの更新は、所定の時間が経過してから、ランキングデータの更新を行うので、ピアツーピア通信により通信した他の携帯電話端末の特定を困難にすることができ、匿名性を確保することができるという作用を有する。
【００２８】
本発明の第６の発明の携帯電話端末、試用コンテンツデータ交換システム、および、試用コンテンツデータ交換方法は、更に、上記ランキング更新手段（ステップ）は、所定の回数の上記他の携帯電話端末との間で上記試用コンテンツデータ若しくは上記リスト情報を交換してから、上記ランキングデータの更新を行うことにより、上記ピアツーピア通信手段により通信した上記他の携帯電話端末の特定を困難にするとしたものであり、上記の発明において更に、ランキングの更新は、所定の回数の他の携帯電話端末との間で試用コンテンツデータ若しくはリスト情報を交換してから、ランキングデータの更新を行うので、ピアツーピア通信により通信した他の携帯電話端末の特定を困難にすることができ、匿名性を確保することができるという作用を有する。
【００２９】
本発明の第７の発明の携帯電話端末、試用コンテンツデータ交換システム、および、試用コンテンツデータ交換方法は、更に、上記制御手段は（において実行される）、上記コンテンツサーバ装置から上記ネットワークを介して上記試用コンテンツデータを取得する試用コンテンツデータ取得手段（ステップ）、を備える（含む）としたものであり、上記の発明において更に、コンテンツサーバ装置からネットワークを介して試用コンテンツデータを取得するので、携帯電話同士のピアツーピア通信でリスト情報のみを交換し、試用コンテンツデータを交換することができなかった場合でも、当該試用コンテンツ情報をコンテンツサーバ装置から補完することができるという作用を有する。
【００３０】
本発明の第８の発明の携帯電話端末、試用コンテンツデータ交換システム、および、試用コンテンツデータ交換方法は、更に、上記制御手段は（において実行される）、上記端末検知手段（ステップ）、上記ピアツーピア通信手段（ステップ）、および、上記試用コンテンツデータ交換手段（ステップ）を起動する場所および／または時間を制御するための起動制御手段（ステップ）、を備える（含む）としたものであり、上記の発明において更に、端末検知の処理、ピアツーピア通信の処理、および、試用コンテンツデータ交換の処理を起動する場所および／または時間を制御するので、利用者がリスト情報または試用コンテンツデータを交換したいときに、意識的にリスト情報または試用コンテンツデータの情報交換をすることができるという作用を有する。
【００３１】
本発明の第９の発明の携帯電話端末、試用コンテンツデータ交換システム、および、試用コンテンツデータ交換方法は、更に、上記制御手段は、上記試用コンテンツデータ交換手段（ステップ）により上記試用コンテンツデータを取得した際に、取得を通知するための取得通知アイコンを上記表示装置に表示する取得通知アイコン表示手段（ステップ）を更に備える（含む）としたものであり、上記の発明において更に、試用コンテンツデータの交換により、試用コンテンツデータを取得した際に、取得を通知するための取得通知アイコンを表示装置に表示するので、利用者は新着情報をいち早く知ることができるという作用を有する。
【００３２】
本発明の第１０の発明の携帯電話端末、試用コンテンツデータ交換システム、および、試用コンテンツデータ交換方法は、更に、上記購入用コンテンツデータまたは上記試用コンテンツデータは、音楽の楽曲データであるとしたものであり、上記の発明において更に、購入用コンテンツデータまたは試用コンテンツデータは、音楽の楽曲データであるので、利用者は音楽の楽曲に関する地域的なランキングを得ることができるという作用を有する。
【００３３】
本発明の第１１の発明の携帯電話端末、試用コンテンツデータ交換システム、および、試用コンテンツデータ交換方法は、更に、上記購入用コンテンツデータは、購入した商品の購入商品情報、該商品を購入した店舗に関する店舗情報もしくは店舗カテゴリ情報、または、該店舗が取り扱う商品の店舗商品情報が付加されており、上記コンテンツデータリスト交換手段（ステップ）は、上記購入商品情報、上記店舗情報、上記店舗カテゴリ情報、または上記店舗商品情報を上記リスト情報に付加して交換し、上記ランキング更新手段（ステップ）は、上記購入商品情報、上記店舗情報、上記店舗カテゴリ情報、または上記店舗商品情報に従って上記ランキングデータの表示順序を変更するためのランキング条件を更新し、当該ランキング条件に従って上記ランキングデータを更新するとしたものであり、上記の発明において更に、購入用コンテンツデータは、購入した商品の購入商品情報、商品を購入した店舗に関する店舗情報もしくは店舗カテゴリ情報、または、店舗が取り扱う商品の店舗商品情報が付加されており、コンテンツデータリストの交換は、購入商品情報、店舗情報、店舗カテゴリ情報、または店舗商品情報をリスト情報に付加して交換し、ランキングの更新は、購入商品情報、店舗情報、店舗カテゴリ情報、または店舗商品情報に従ってランキングデータの表示順序を変更するためのランキング条件を更新し、ランキング条件に従ってランキングデータを更新するので、利用者は地域別・店舗別のリアルタイムなランキングを得ることができるという作用を有する。
【００３４】
本発明の第１２の発明の携帯電話端末、試用コンテンツデータ交換システム、および、試用コンテンツデータ交換方法は、更に、上記制御手段は（において実行される）、上記ネットワークを介して、店舗に設置された店舗サーバ装置からクーポン情報を取得するクーポン情報取得手段（ステップ）と、上記クーポン情報取得手段によって、上記クーポン情報を取得した場合に、上記クーポン情報を通知するためのクーポンアイコンを上記表示装置に表示するクーポンアイコン表示手段（ステップ）と、をさらに備える（含む）としたものであり、上記の発明において更に、ネットワークを介して、店舗に設置された店舗サーバ装置からクーポン情報を取得し、クーポン情報を取得した場合に、クーポン情報を通知するためのクーポンアイコンを表示装置に表示するので、利用者は、クーポンアイコンからサービス内容を確認することができ、利用者の購買意欲を増大させるという作用を有する。
【００３５】
本発明の第１３の発明の携帯電話端末、試用コンテンツデータ交換システム、および、試用コンテンツデータ交換方法は、更に、上記制御手段は（において実行される）、上記端末検知手段（ステップ）、上記ピアツーピア通信手段（ステップ）、上記試用コンテンツデータ交換手段（ステップ）、上記コンテンツデータリスト交換手段（ステップ）、上記ランキング更新手段（ステップ）、上記ランキング表示手段（ステップ）、上記利用者属性情報手段（ステップ）、上記試用コンテンツデータ取得手段（ステップ）、上記起動制御手段（ステップ）、上記取得通知アイコン表示手段（ステップ）、上記クーポン情報取得手段（ステップ）、または上記クーポンアイコン表示手段（ステップ）として上記携帯電話端末の上記制御装置に機能させる（実行させる）ためのプログラムを、該プログラムを記憶した上記コンテンツサーバ装置からダウンロードするプログラムダウンロード手段（ステップ）を、備える（含む）としたものであり、上記の発明において更に、端末検知機能、ピアツーピア通信機能、試用コンテンツデータ交換機能、コンテンツデータリスト交換機能、ランキング更新機能、ランキング表示機能、利用者属性情報機能、試用コンテンツデータ取得機能、起動制御機能、取得通知アイコン表示機能、クーポン情報取得機能、またはクーポンアイコン表示機能を携帯電話端末において実現させるためのプログラムを、プログラムを記憶したコンテンツサーバ装置からダウンロードするので、携帯電話端末の初期設定でプログラムがプレインストールされていない場合等であっても、本機能を実現するプログラムを、あとからダウンロードして本機能を追加することができるという作用を有する。
【００３６】
以下に、本発明にかかる携帯電話端末、試用コンテンツデータ交換システム、および試用コンテンツデータ交換方法、プログラムおよび記録媒体の実施の形態を図面に基づいて詳細に説明する。なお、この実施の形態によりこの発明が限定されるものではない。
【００３７】
特に以下の実施の形態においては、本発明のコンテンツを音楽情報（音楽の楽曲に関する情報）に適用した例について説明するが、この場合に限られず、全てのコンテンツ（動画、静止画、他の音声情報等）において、同様に適用することができる。
［本発明の概要］
以下、本発明の概要について説明し、その後、本発明の構成および処理等について詳細に説明する。図１は、本発明の基本原理を示すシステム構成図である。
【００３８】
本発明は、概略的に、以下の基本的特徴を有する。すなわち、本発明のシステムは、複数の携帯電話端末１００ａ，ｂと、購入用コンテンツデータと試用コンテンツデータとを配信するためのコンテンツサーバ装置２００とを、ネットワーク３００を介して通信可能に接続して構成された試用コンテンツデータ交換システムである。
【００３９】
すなわち、図１に示すように、コンテンツサーバ装置２００は、購入用コンテンツデータと試用コンテンツデータを有するデータベース２５０に接続されており、ランキングソフトウェアダウンロード手段と、コンテンツポータルサーバ手段とを備える。
【００４０】
このうち、ランキングソフトウェアダウンロード手段は、携帯電話端末１００ａ，ｂにランキングソフトウェアがプリインストールされていない場合に、携帯電話端末１００ａ，ｂに対して、ランキングソフトウェアをダウンロードさせる機能を実現する。そして、ランキングソフトウェアが、携帯電話端末１００ａ，ｂのＳＤＲＡＭ等に格納されることにより、ＣＰＵ１１に本発明の各処理を実行させ、ＣＰＵを各手段として機能させる。
【００４１】
また、コンテンツポータルサーバ手段は、携帯電話端末１００ａ，ｂに対し、データベース２５０に格納する購入用コンテンツデータまたは試用コンテンツデータをダウンロードさせるためのコンテンツポータルサイトを提供するサーバ手段である。
【００４２】
ネットワーク３００は、インターネットや携帯キャリア網等のネットワーク手段である。携帯電話端末１００ａ，ｂは、ネットワーク３００を介して、コンテンツサーバ装置２００にアクセスし、購入用コンテンツデータ（有料）または試用コンテンツデータをダウンロードできるよう構成される。
【００４３】
また図１に示すように、本発明において、携帯電話端末１００ａ，ｂは、概略的に（１）コンテンツサーバ装置２００から取得した購入用／試用コンテンツデータを格納するための記憶機能と、（２）ピアツーピア通信で情報交換するための交換機能と、（３）交換したリスト情報からランキングを更新するランキング更新機能を有している。
【００４４】
上記のように構成された本システムにおいて、携帯電話端末１００ａ，ｂは、コンテンツサーバより取得した購入用コンテンツデータおよび試用コンテンツデータを記憶する。
【００４５】
また、携帯電話端末１００ａ，ｂ（以下図１において「１００ａ」）は、他の携帯電話端末１００ａ，ｂ（以下図１において「１００ｂ」）を検知し、検知された他の携帯電話端末１００ｂとピアツーピア（Ｐ２Ｐ）通信により通信する。ここで、ピアツーピア通信手段は、無線ＬＡＮ通信、赤外線通信等の１対１型の通信手段である。
【００４６】
そして、携帯電話端末１００ａは、他の携帯電話端末１００ｂとの間で試用コンテンツデータを交換する。
【００４７】
また、ここで携帯電話端末１００ａは、記憶機能により、購入用コンテンツデータ、試用コンテンツデータ、または、購入用コンテンツデータの購入数により購入用コンテンツをランキングしたランキング情報を記憶する。
【００４８】
次に、携帯電話端末１００ａは、携帯電話端末１００ａの記憶装置に記憶された購入用コンテンツデータおよび試用コンテンツデータに関するリスト情報を、ピアツーピア通信で、他の携帯電話端末１００ｂとの間で交換する。
【００４９】
そして、取得したリスト情報に基づいて、購入用コンテンツデータの購入数を集計し、ランキングデータを更新する。
【００５０】
また、ランキングデータを表示装置に表示する際に、ランキングデータに含まれる購入用コンテンツに対応する試用コンテンツデータが記憶装置に記憶されている場合には、購入用コンテンツの表示領域に、購入用コンテンツに対応する試用コンテンツデータの再生を確認するための再生確認用アイコンを表示装置に表示する。
【００５１】
このことで、表示装置に表示された再生確認用アイコンを利用者が選択すると、再生確認用アイコンに対応する試用コンテンツデータを再生することができる。
【００５２】
以上が、携帯電話端末１００ａ，ｂ同士のピアツーピア通信、情報交換、およびランキング更新処理の概要である。
【００５３】
ここで、上記本発明の携帯電話端末１００ａ，ｂは、利用者の属性に関する利用者属性情報を記憶し、コンテンツデータリストの交換の際に、利用者属性情報をリスト情報に付加して交換し、ランキングを更新する場合に、利用者属性情報に従ってランキングデータの表示順序を変更するためのランキング条件を更新し、ランキング条件に従ってランキングデータを更新するよう構成してもよい。
【００５４】
また、本発明において、購入用コンテンツデータは、購入者ＩＤおよび購入日時を少なくとも含む追加情報が付加されており、コンテンツデータリストの交換の際に、追加情報をリスト情報に付加して交換し、ランキングを更新する場合であって、購入用コンテンツデータの購入数を集計するときに、購入者ＩＤおよび購入日時が同一の購入用コンテンツデータについて購入数の集計から除外するよう構成してもよい。
【００５５】
また、ランキングを更新する場合に、所定の時間が経過してから、または、所定の回数の他の携帯電話端末１００ａ，ｂとの間で試用コンテンツデータ若しくはリスト情報を交換してから、ランキングデータの更新を行うことにより、ピアツーピア通信手段により通信した他の携帯電話端末の特定を困難にするよう構成してもよい。
【００５６】
また、本携帯電話端末１００ａ，ｂは、コンテンツサーバ装置２００からネットワーク３００を介して未取得試用コンテンツデータを取得するよう構成してもよい。
【００５７】
また、本携帯電話端末１００ａ，ｂは、他の携帯電話端末１００ａ，ｂの検知、ピアツーピア通信、および、試用コンテンツデータの交換を起動する場所および／または時間を制御するよう構成してもよい。
【００５８】
また、試用コンテンツデータを取得した際に、取得を通知するための取得通知アイコンを表示装置に表示するよう構成してもよい。
【００５９】
以上で、本発明の概要の説明を終える。
［携帯電話端末１００ａ，ｂの構成］
まず、本携帯電話端末１００ａ，ｂの構成について、図２および図３を用いて説明する。また、図２は、本携帯電話端末１００ａ，ｂのハードウェア構成の一例を示す物理ブロック図である。また、図３は、本発明が適用される本携帯電話端末１００ａ，ｂの論理構成の一例を示す論理ブロック図であり、該構成のうち本発明に関係する部分のみを概念的に示している。
【００６０】
図２の物理ブロック図で示すように、本携帯電話端末は、概略的に、携帯電話端末１００ａ，ｂ全体を統括的に制御するＣＰＵ１１と、リスト情報等を記憶するＳＤＲＡＭ１２と、プログラム等を記憶するＦＲＡＳＨ  ＲＯＭ１３と、入力インターフェースとなるキーパッド１４と、液晶モニタ等のＬＣＤ１５と、無線通信技術等を用いて他の携帯電話端末１００ａ，ｂとの間におけるピアツーピア（Ｐ２Ｐ）通信制御を行う無線ＬＡＮ  Ｉ／Ｆ１６と、無線ＬＡＮ用のアンテナ１７と、携帯網通信Ｉ／Ｆ１８と、携帯網通信用のアンテナ１９と、ＳＤカードＩ／Ｆ２０と、著作権保護対策が必要なコンテンツデータ等を保存するＳＤカード２１と、マイク２２と、スピーカ２３と、を含んで構成される。
【００６１】
次に、本携帯電話端末の制御部と記憶部の論理構成を、図３の論理ブロック図を参照して説明する。
【００６２】
図３に示すように、各種のデータベースやテーブル（コンテンツデータ記憶手段１０６ａ〜利用者属性情報記憶手段１０６ｄ）を格納する記憶部１０６は、図２における、ＦＬＡＳＨ  ＲＯＭ１３、ＳＤカード２１等のストレージ手段であり、各種処理に用いる各種のプログラムやテーブル、ファイル、データベース、ウェブページ等を格納する。
【００６３】
これら記憶部１０６の各構成要素のうち、コンテンツデータ記憶手段１０６ａは、コンテンツサーバ装置２００等より取得した購入用コンテンツデータおよび試用コンテンツデータを記憶するコンテンツデータ記憶手段である。
【００６４】
また、ランキングデータ記憶手段１０６ｂは、購入用コンテンツデータの購入数により購入用コンテンツをランキングしたランキングデータを記憶するランキングデータ記憶手段である。ここで、ランキングデータの内容を示すランキングテーブルについて、図４を参照して説明する。図４はランキングデータ記憶手段に格納されるランキングデータを格納するランキングテーブルおよび購入者リストの一例を示す図である。
【００６５】
図４に示すように、ランキングテーブルは、コンテンツＩＤと、カウンタと、購入者リストと、を定義している。取得されたリスト情報は、ランキング更新手段１０２ｊの処理により、リスト情報に含まれる購入用コンテンツＩＤの購入数カウンタをインクリメントし、ランキングテーブル等のランキングデータ記憶手段１０６ｂに格納する。
【００６６】
また、リスト情報記憶手段１０６ｃは、購入用コンテンツデータおよび試用コンテンツデータに関するリスト情報を記憶するリスト情報記憶手段である。リスト情報には、購入用コンテンツＩＤと、その購入数が含まれる。ここでリスト情報には、図４に示すように、購入者ＩＤまたは購入日時が付加されていてもよい。
【００６７】
また、利用者属性情報記憶手段１０６ｄは、利用者の属性に関する利用者属性情報（年齢、性別、地域、趣味など）を記憶する利用者属性情報記憶手段である。
【００６８】
また、図３において、制御部１０２は、図２に示したＣＰＵ１１であり、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、端末検知手段１０２ａ〜利用者属性情報設定手段１０２ｒを備えて構成されている。
【００６９】
このうち、端末検知手段１０２ａは、他の携帯電話端末１００ａ，ｂを検知する端末検知手段である。すなわち、図２におけるＣＰＵ１１は、他の携帯電話端末１００ａ，ｂから発信されるビーコン信号等をアンテナ１７で受信し、無線ＬＡＮ  Ｉ／Ｆ１６を制御し当該ビーコン信号等を読み取ることにより他の携帯電話端末１００ａ，ｂの存在を検知するよう制御することにより端末検知手段として機能する。
【００７０】
また、コンテンツデータリスト交換手段１０２ｂは、ピアツーピア通信手段１０２ｉにより、コンテンツデータ記憶手段端末検知手段１０２ａに記憶された購入用コンテンツデータおよび試用コンテンツデータに関するリスト情報を、他の携帯電話端末１００ａ，ｂとの間で交換するコンテンツデータリスト交換手段である。すなわち、図２におけるＣＰＵ１１が、ＳＤカード２１等のストレージ手段に格納された購入用コンテンツおよび試用コンテンツデータから、これらに関するリスト情報を作成し、無線ＬＡＮ  Ｉ／Ｆ１６を制御し、アンテナ１７から互いにリスト情報を送受信するよう制御することによりコンテンツデータリスト交換手段として機能する。ここで、コンテンツデータリスト交換手段１０２ｂは、利用者属性情報または購入者ＩＤ若しくは購入日時をリスト情報に付加して交換するよう構成してもよい。また、購入商品情報、店舗情報、店舗カテゴリ情報、または店舗商品情報をリスト情報に付加して交換するよう構成してもよい。
【００７１】
また、試用コンテンツデータ交換手段１０２ｃは、ピアツーピア通信手段１０２ｉにより、他の携帯電話端末１００ａ，ｂとの間で試用コンテンツデータを交換する試用コンテンツデータ交換手段である。すなわち、図２におけるＣＰＵ１１が、ＳＤカード２１等のストレージ手段に格納された試用コンテンツデータを読み出し、無線ＬＡＮ  Ｉ／Ｆ１６を制御し、アンテナ１７から互いに試用コンテンツ情報を送受信するよう制御することにより試用コンテンツデータ交換手段として機能する。
【００７２】
また、ランキング条件設定手段１０２ｄは、利用者に、ランキング条件を設定させるためのランキング条件設定手段である。すなわち、図２におけるＣＰＵ１１が、利用者にキーパッド１４等を介してランキング条件を入力させるよう制御することによりランキング条件設定手段として機能する。
【００７３】
また、試用コンテンツデータ取得手段１０２ｅは、コンテンツサーバ装置２００からネットワーク３００を介して試用コンテンツデータを取得する試用コンテンツデータ取得手段である。すなわち、図２におけるＣＰＵ１１が、無線ＬＡＮ  Ｉ／Ｆ１６または携帯網通信Ｉ／Ｆ１８を制御しアンテナ１７またはアンテナ１９によりネットワーク接続または携帯網通信を行うよう制御し、未取得の試用コンテンツデータを、ネットワーク３００を介してコンテンツサーバ装置２００からダウンロードするよう制御することにより試用コンテンツデータ取得手段として機能する。
【００７４】
また、購入用コンテンツデータ再生手段１０２ｆは、購入用コンテンツデータを再生する購入用コンテンツデータ再生手段である。すなわち、図２におけるＣＰＵ１１が、ＳＤカード２１等のストレージ手段に格納された購入用コンテンツデータを読み取り、マイク２２、スピーカ２３、またはＬＣＤ１５等に出力するよう制御することにより、購入用コンテンツデータ再生手段として機能する。
【００７５】
また、操作情報保存手段１０２ｇは、利用者が操作した情報を保存する操作情報保存手段である。すなわち、図２におけるＣＰＵ１１が、利用者にキーパッド１４等を介して入力させ、この操作情報をＳＤＲＡＭ１２等に格納するよう制御することにより操作情報保存手段として機能する。
【００７６】
また、ピアツーピア通信手段１０２ｉは、端末検知手段１０２ａにより検知された他の携帯電話端末１００ａ，ｂとピアツーピア通信により通信するピアツーピア通信手段である。すなわち、図２におけるＣＰＵ１１が、無線ＬＡＮ  Ｉ／Ｆ１６を制御し、アンテナ１７からデータを他の携帯電話端末１００ａ，ｂと送受信するよう制御することによりピアツーピア通信手段として機能する。
【００７７】
また、ランキング更新手段１０２ｊは、コンテンツデータリスト交換手段１０２ｂにて取得したリスト情報に基づいて、購入用コンテンツデータの購入数を集計しランキングデータを更新するランキング更新手段である。すなわち、図２におけるＣＰＵ１１が、ＳＤＲＡＭ１２等に格納されたリスト情報を読み取り、リスト情報に基づいてランキングデータを更新するよう制御することによりランキング更新手段として機能する。ここで、ランキング更新手段１０２ｊは、利用者属性情報に従ってランキングデータの表示順序を変更するためのランキング条件を更新し、ランキング条件設定手段１０２ｄの処理により、利用者が設定したランキング条件に従ってランキングデータを更新するよう構成してもよい。また、ランキング更新手段１０２ｊは、所定の時間が経過してから、または、所定の回数の他の携帯電話端末１００ａ，ｂとの間で試用コンテンツデータ若しくはリスト情報を交換してから、ランキングデータの更新を行うことにより、上記ピアツーピア通信手段により通信した他の携帯電話端末１００ａ，ｂの特定を困難にするよう構成してもよい。また、ランキング更新手段１０２ｊは、購入商品情報、店舗情報、店舗カテゴリ情報、または店舗商品情報に従ってランキングデータの表示順序を変更するためのランキング条件を更新し、ランキング条件に従ってランキングデータを更新するよう構成してもよい。
【００７８】
また、取得通知アイコン表示手段１０２ｋは、試用コンテンツデータ交換手段１０２ｃにより試用コンテンツデータを取得した際に、取得を通知するための取得通知アイコンを表示装置に表示する取得通知アイコン表示手段である。すなわち、図２におけるＣＰＵ１１が、無線ＬＡＮ  Ｉ／Ｆ１６または携帯網通信Ｉ／Ｆ１８を介して試用コンテンツデータを受信したことを判断し、受信したと判断した場合に、ＳＤＲＡＭ１２またはＦＬＡＳＨ  ＲＯＭ１３等に格納された取得通知アイコンデータを読み取り、ＬＣＤ１５等に対し出力表示するよう制御することにより取得通知アイコン表示手段として機能する。
【００７９】
また、ランキング表示手段１０２ｍは、ランキングデータを表示装置に表示する表示手段である。すなわち、図２におけるＣＰＵ１１が、ＳＤＲＡＭ１２等に格納されたランキングデータを読み取り、ＬＣＤ１５等に出力表示するよう制御することによって表示手段として機能する。また、ランキングデータを表示装置に表示する際に、ランキングデータに含まれる購入用コンテンツに対応する試用コンテンツデータがコンテンツデータ記憶手段１０６ａに記憶されている場合には、購入用コンテンツの表示領域に、購入用コンテンツに対応する試用コンテンツデータの再生を確認するための再生確認用アイコンを表示装置に表示するランキング表示手段である。ここで、携帯電話端末１００ａ，ｂは、ランキング表示手段１０２ｍにて表示装置に表示された再生確認用アイコンを利用者が選択した場合に、再生確認用アイコンに対応する試用コンテンツデータを再生する構成としてもよい。
【００８０】
また、試用コンテンツデータ再生手段１０２ｎは、試用コンテンツデータを再生する試用コンテンツデータ再生手段である。すなわち、図２におけるＣＰＵ１１が、ＳＤカード２１等に格納された試用コンテンツデータを、ＳＤカード  Ｉ／Ｆ２０等を制御して読み取り、ＬＣＤ１５、マイク２２、スピーカ２３等に出力するよう制御することにより試用コンテンツデータ再生手段として機能する。
【００８１】
また、購入用コンテンツデータ購入手段１０２ｐは、購入用コンテンツデータを購入する購入用コンテンツデータ購入手段である。すなわち、図２におけるＣＰＵ１１が、無線ＬＡＮ  Ｉ／Ｆ１６または携帯網通信Ｉ／Ｆ１８を制御し、アンテナ１７またはアンテナ１９からネットワーク３００を介してコンテンツサーバ装置２００にアクセスし、コンテンツサーバ装置２００に購入用データを送信し、購入用コンテンツデータをダウンロードするよう制御することにより実現する。
【００８２】
また、利用者属性情報設定手段１０２ｒは、利用者に利用者属性情報を設定させる利用者属性情報設定手段である。すなわち図２におけるＣＰＵ１１が、ＬＣＤ１５に設定画面を表示し、利用者にキーパッド１４等を介して、利用者属性情報を入力させるよう制御することにより利用者属性情報設定手段として機能する。例えば、利用者属性情報設定手段１０２ｒは、キーパッド１４を介して利用者に、年齢、性別、地域、趣味等を設定させる。
【００８３】
ここで、制御部１０２は、ネットワーク３００を介して、店舗に設置された店舗サーバ装置からクーポン情報を取得するクーポン情報取得手段と、クーポン情報取得手段によって、クーポン情報を取得した場合に、クーポン情報を通知するためのクーポンアイコンを表示装置に表示するクーポンアイコン表示手段と、を備えて構成してもよい（図示せず）。
【００８４】
また、ここで、制御部１０２は、ＣＰＵ１１に端末検知手段１０２ａ〜利用者属性情報設定手段１０２ｒ等の制御手段として機能させるプログラム（ランキングソフトウェア）をコンテンツサーバ装置２００からダウンロードするプログラムダウンロード手段を備えていてもよい。これにより、携帯電話端末１００ａ，ｂは、ＦＲＡＳＨ  ＲＯＭ１３等に予めランキングソフトウェアがプレインストールされていない場合であっても、コンテンツサーバ装置２００からプログラムをダウンロード・インストールし、各種機能を追加することができる。
【００８５】
また、図１に示したように、本試用コンテンツデータ交換システムの全体構成は、概略的に携帯電話端末１００ａ，ｂと、購入用コンテンツデータおよび試用コンテンツデータを格納したデータベース２５０やランキングソフトウェアなどの外部プログラム等を提供するコンテンツサーバ装置２００とを、ネットワーク３００を介して通信可能に接続して構成されている。
【００８６】
図１において、ネットワーク３００は、携帯電話端末１００ａ，ｂとコンテンツサーバ装置２００とを相互に接続する機能を有し、例えば、インターネットや携帯キャリア網等である。
【００８７】
また、図１において、コンテンツサーバ装置２００は、ネットワーク３００を介して、携帯電話端末１００ａ，ｂと相互に接続され、利用者に対して、購入用コンテンツデータおよび試用コンテンツデータに関する外部データベース２５０やランキングソフトウェア等の外部プログラム等を実行するウェブサイト等を提供するサーバ機能を有する。
【００８８】
ここで、コンテンツサーバ装置２００は、ＷＥＢサーバやＡＳＰサーバ等として構成していてもよく、そのハードウェア構成は、一般に市販されるワークステーション、パーソナルコンピュータ等の情報処理装置およびその付属装置により構成していてもよい。また、コンテンツサーバ装置２００の各機能は、コンテンツサーバ装置２００のハードウェア構成中のＣＰＵ、ディスク装置、メモリ装置、入力装置、出力装置、通信制御装置等およびそれらを制御するプログラム等により実現される。
［システムの処理］
次に、このように構成された本実施の形態における本システムの処理の一例について、以下に図を参照ながら詳細に説明する。
［試用コンテンツデータ交換処理・コンテンツデータリスト交換処理］
次に、試用コンテンツデータ交換処理とコンテンツデータリスト交換処理の詳細について図５および図６を参照して説明する。図５は、本実施の形態における本携帯電話端末の試用コンテンツデータ／コンテンツデータリスト交換処理の一例を示すフローチャートである。
【００８９】
まず、携帯電話端末１００ａ，ｂは、端末検知手段１０２ａの処理により、他の携帯電話端末１００ａ，ｂを検出する処理を開始する（ＳＡ−１）。例えば、携帯電話端末１００ａ，ｂはネットワーク接続状態でない場合にビーコン信号を送出するように構成しており、端末検知手段１０２ａは、当該ビーコン信号を受信することにより他の携帯電話端末１００ａ，ｂを検知してもよい。
【００９０】
次に、端末検知手段１０２ａは、他の携帯電話端末１００ａ，ｂを検出するまで検知をつづけ（ＳＡ−２，Ｎｏ）、他の携帯電話端末１００ａ，ｂを検出すると（ＳＡ−２、Ｙｅｓ）、ピアツーピア通信手段１０２ｉは、ピアツーピア通信接続を確立する。
【００９１】
つづいて、コンテンツデータリスト交換手段１０２ｂは、自己の携帯電話端末１００ａ，ｂが制御側か被制御側かを判断し、制御側端末と判断した場合は（ＳＡ−３、Ｙｅｓ）、ＳＡ−４以下に進み、ピアツーピア通信手段１０２ｉにより、他の携帯電話端末１００ａ，ｂから、コンテンツデータ記憶手段１０６ａにて記憶された購入用コンテンツデータおよび試用コンテンツデータに関するリスト情報を受信する（ＳＡ−４）。
【００９２】
つぎに、コンテンツデータリスト交換手段１０２ｂは、コンテンツデータ記憶手段１０６ａに格納されたコンテンツデータや、リスト情報記憶手段１０６ｃに保持するリスト情報、利用者属性情報記憶手段１０６ｄに記憶された利用者属性情報に基づいて、自己のリスト情報を構築する（ＳＡ−５）。
【００９３】
そして、コンテンツデータリスト交換手段１０２ｂは、ピアツーピア通信手段１０２ｉにより、コンテンツデータ記憶手段１０６ａにて記憶された購入用コンテンツデータおよび試用コンテンツデータに関する自己のリスト情報を他の携帯電話端末１００ａ，ｂへ送信する（ＳＡ−６）。
【００９４】
つづいて、試用コンテンツデータ交換手段１０２ｃは、受信したリスト情報に基づいて、他の携帯電話端末１００ａ，ｂが有していない試用コンテンツデータを送信する（ＳＡ−７）。
【００９５】
最後に、試用コンテンツデータ交換手段１０２ｃは、ピアツーピア通信手段１０２ｉにより、他の携帯電話端末１００ａ，ｂから試用コンテンツデータを受信して処理を終了する（ＳＡ−８）。
【００９６】
なお、自己の携帯電話端末１００ａ，ｂが、被制御側端末と判断した場合は（ＳＡ−３、Ｎｏ）、ＳＡ−９からＳＡ−１２までの処理を実行する。ここで、ＳＡ−９からＳＡ−１２までの処理は、基本的にＳＡ−４からＳＡ−８までの同名の処理と同一であり、送信と受信の順番が異なるだけであるので、説明を省略する。
【００９７】
これにて、試用コンテンツデータ交換処理とコンテンツデータリスト交換処理が終了する。
【００９８】
図５を用いて説明した交換処理の２台端末における通信制御シーケンスを、図６を用いて説明する。図６は、２台の本携帯電話端末間における通信制御処理のフローを示す通信制御シーケンス図である。
【００９９】
図６に示すように、まず制御側携帯電話端末１００−１は、端末検知手段１０２ａの処理により制御側携帯電話端末１００−１となる他の携帯電話端末１００ａ，ｂを検知すると、ピアツーピア通信手段１０２ｉの処理により、制御側携帯電話端末１００−２と、ピアツーピア通信接続を開始する（ＳＢ−１）。なお、この説明において、制御側携帯電話端末１００−１を制御側、制御側携帯電話端末１００−２を被制御側として説明を行うが、どちらが制御側携帯電話端末１００ａ，ｂになるかは、ピアツーピア通信確立時に決定され、制御側携帯電話端末１００−２を制御側としてもよい。
【０１００】
次に、制御側携帯電話端末１００−２は、コンテンツデータリスト交換手段１０２ｂの処理により、ピアツーピア通信手段１０２ｉにより、コンテンツデータ記憶手段１０６ａにて記憶された購入用コンテンツデータおよび試用コンテンツデータに関するリスト情報を送信する（ＳＢ−２）。
【０１０１】
つづいて、リスト情報を受信した制御側携帯電話端末１００−１は、コンテンツデータリスト交換手段１０２ｂの処理により、受信したリスト情報と、ランキングデータ記憶手段１０６ｂで自己が保有するリスト情報との調停を図り、制御側携帯電話端末１００−２に送信すべきリスト情報を構築する（ＳＢ−３）。
【０１０２】
つぎに、制御側携帯電話端末１００−１は、コンテンツデータリスト交換手段１０２ｂの処理により、上記処理によりコンテンツデータ記憶手段１０６ａにて記憶された購入用コンテンツデータおよび試用コンテンツデータに関するリスト情報を、ピアツーピア通信手段１０２ｉにより、制御側携帯電話端末１００−２に送信する（ＳＢ−４）。
【０１０３】
ここで、上記リスト情報の調停は、制御側携帯電話端末１００−１のリスト情報と制御側携帯電話端末１００−２のリスト情報の差分をとり、自分の持っていないコンテンツ情報を通知することとしてもよく、または、上記リスト情報の調停を省略し、制御側携帯電話端末１００−１は、そのままリスト情報を制御側携帯電話端末１００−２に送信し、リスト情報を受信した制御側携帯電話端末１００−２が自己のリスト情報と他のリスト情報の差分をとり、送るべき試用コンテンツデータを判断する構成としてもよい。
【０１０４】
つぎに、制御側携帯電話端末１００−１は、試用コンテンツデータ交換手段１０２ｃの処理により、ピアツーピア通信手段１０２ｉにより、受信したリスト情報に基づいて、制御側携帯電話端末１００−２に対して試用コンテンツデータを送信する（ＳＢ−５）。
【０１０５】
つづいて他方、制御側携帯電話端末１００−２は、試用コンテンツデータ交換手段１０２ｃの処理により、ピアツーピア通信手段１０２ｉにより、受信したリスト情報に基づいて、制御側携帯電話端末１００−１に対して試用コンテンツデータを送信する（ＳＢ−６）。
【０１０６】
最後に、制御側携帯電話端末１００−１および制御側携帯電話端末１００−２は、試用コンテンツデータ交換手段１０２ｃの処理により、試用コンテンツデータの交換を完了すると、ピアツーピア通信手段１０２ｉの処理により、ピアツーピア通信の接続を終了する（ＳＢ−７）。
【０１０７】
以上で、交換処理の２台端末における通信制御の説明を終える。
【０１０８】
つぎに、３台端末における通信制御の処理の流れについて、図７を参照して説明する。図７は、３台の本携帯電話端末間における通信制御処理のフローを示す通信制御シーケンス図である。
【０１０９】
図７に示すように、まず制御側携帯電話端末１００−２は、端末検知手段１０２ａの処理により制御側携帯電話端末１００−１および制御側携帯電話端末１００−３となる複数の他の携帯電話端末１００ａ，ｂを検知すると、ピアツーピア通信手段１０２ｉの処理により、制御側携帯電話端末１００−１および制御側携帯電話端末１００−３と、ピアツーピア通信接続を開始する（ＳＣ−１、ＳＣ−２）。なお、制御側携帯電話端末１００−２を制御側、制御側携帯電話端末１００−１および制御側携帯電話端末１００−３を被制御側として説明を行うが、上記２台間の場合と同様、どちらが制御側携帯電話端末１００ａ，ｂになるかは、ピアツーピア通信確立時に決定され、制御側携帯電話端末１００−１または制御側携帯電話端末１００−３が制御側となってもよい。
【０１１０】
次に、制御側携帯電話端末１００−２は、コンテンツデータリスト交換手段１０２ｂの処理により、ピアツーピア通信手段１０２ｉにより、コンテンツデータ記憶手段１０６ａにて記憶された購入用コンテンツデータおよび試用コンテンツデータに関するリスト情報を、制御側携帯電話端末１００−１および制御側携帯電話端末１００−３に対して送信する（ＳＣ−３、ＳＣ−４）。
【０１１１】
つづいて、被制御側携帯電話端末１００−１および被制御側携帯電話端末１００−３からリスト情報を受信した制御側携帯電話端末１００−２は、コンテンツデータリスト交換手段１０２ｂの処理により、受信したリスト情報と、ランキングデータ記憶手段１０６ｂで自己が保有するリスト情報との調停を図り、制御側携帯電話端末１００−１および制御側携帯電話端末１００−３に送信すべきリスト情報をそれぞれ構築する（ＳＣ−５）。
【０１１２】
つぎに、制御側携帯電話端末１００−２は、コンテンツデータリスト交換手段１０２ｂの処理により、上記処理によりコンテンツデータ記憶手段１０６ａにて記憶された購入用コンテンツデータおよび試用コンテンツデータに関するリスト情報を、ピアツーピア通信手段１０２ｉにより、制御側携帯電話端末１００−１および制御側携帯電話端末１００−３に対して送信する（ＳＣ−６、ＳＣ−７）。
【０１１３】
つぎに、制御側携帯電話端末１００−２は、試用コンテンツデータ交換手段１０２ｃの処理により、ピアツーピア通信手段１０２ｉにより、受信したリスト情報に基づいて、制御側携帯電話端末１００−１および制御側携帯電話端末１００−３に対して試用コンテンツデータを送信する（ＳＣ−６、ＳＣ−７）。
【０１１４】
つづいて他方、制御側携帯電話端末１００−１および制御側携帯電話端末１００−３は、試用コンテンツデータ交換手段１０２ｃの処理により、受信したリスト情報に基づいて試用コンテンツデータを、ピアツーピア通信手段１０２ｉにより制御側携帯電話端末１００−２に対して送信する（ＳＣ−８、ＳＣ−９）。
【０１１５】
最後に、これら複数の携帯電話端末１００ａ，ｂは、試用コンテンツデータ交換手段１０２ｃの処理により、試用コンテンツデータの交換を完了すると、ピアツーピア通信手段１０２ｉの処理により、ピアツーピア通信の接続を終了する（ＳＣ−１０、ＳＣ−１１）。
【０１１６】
以上で、交換処理の３台携帯電話端末における通信制御の説明を終える。
［ランキング処理］
ランキング処理の詳細について図８を参照して説明する。図８は、本実施の形態における本システムのデータ取得処理からランキング表示処理に至るまでの一例を示すフローチャートである。
【０１１７】
まず、コンテンツデータリスト交換手段１０２ｂは、コンテンツデータ記憶手段１０６ａにて記憶された購入用コンテンツデータおよび試用コンテンツデータに関するリスト情報を、ピアツーピア通信手段１０２ｉにより、他の携帯電話端末１００ａ，ｂから取得する（ＳＤ−１）。また、試用コンテンツデータ交換手段１０２ｃは、他の携帯電話端末１００ａ，ｂとの間で試用コンテンツデータを、ピアツーピア通信手段１０２ｉにより、取得する。
【０１１８】
つぎに、オプションとして設定されていれば、ランキング更新手段１０２ｊは、試用コンテンツデータまたは購入者日時もしくは購入日時に対して、試用コンテンツデータに付加された署名が正しいものが否か確認する（ＳＤ−２）。ここで、試用コンテンツデータ構成について、図９を参照して説明する。図９は、試用コンテンツデータ構成を示す図である。なお、以下は試用コンテンツデータ構成についてのみ説明するが、リスト情報に追加情報が付加されている場合も同様である。
【０１１９】
図９に示すように、本実施の形態における試用コンテンツデータでは、試用コンテンツ再生用データに加えて、購入者ＩＤ及び購入日時を追加情報として含み、オプションで署名が付加される。
【０１２０】
つぎに、ランキング更新手段１０２ｊは、コンテンツデータリスト交換手段１０２ｂにて取得したリスト情報に基づいて、購入用コンテンツデータの購入数を集計しランキングデータを更新する（ＳＤ−３）。
【０１２１】
ここで、ランキング更新手段１０２ｊは、購入用コンテンツデータの購入数を集計する際に、購入者ＩＤおよび購入日時が同一の購入用コンテンツデータについて購入数の集計から除外することとしてもよい。
【０１２２】
つぎに、ランキング表示手段１０２ｍは、ランキングデータを表示装置に表示する（ＳＤ−４）。ここで、図１０は、取得通知アイコン表示手段１０２ｋの処理により、表示装置に再生確認用アイコンが表示されたランキング表示画面の一例を示す図である。
【０１２３】
図１０に示すように、ランキング表示画面には、取得通知アイコン表示手段１０２ｋの処理により、購入用コンテンツに対応する試用コンテンツデータの再生を確認するための再生確認用アイコンＭＡ−１が表示される。ここで、ランキングを表示する際には、図１０のように、取得通知アイコン表示手段１０２ｋは、ランキングデータに含まれる購入用コンテンツに対応する試用コンテンツデータがコンテンツデータ記憶手段１０６ａに記憶されている場合には、購入用コンテンツの表示領域に、購入用コンテンツに対応する試用コンテンツデータの再生を確認するための再生確認用アイコンを、表示装置に表示してもよい。
【０１２４】
これにて、ランキング処理が終了する。
［ランキング更新処理］
ランキング更新処理の詳細について、図１１および図１２を参照して更に詳しく説明する。図１１は、本実施の形態における本システムのランキング更新処理の一例を示すフローチャートである。
【０１２５】
まず、ランキング更新手段１０２ｊは、受信したリスト情報または試用コンテンツデータからコンテンツＩＤを読み取り、コンテンツデータ記憶手段１０６ａに記憶するランキングテーブル（図４上図参照）に対して、コンテンツＩＤの検索を行う（ＳＥ−１）。
【０１２６】
そして、ランキング更新手段１０２ｊは、コンテンツＩＤのエントリを発見したときは（ＳＥ−２、Ｙｅｓ）、該当するエントリから購入者リスト（図４下図参照）を読み出す（ＳＥ−３）。
【０１２７】
ここで、ランキング更新手段１０２ｊは、ランキングテーブルからコンテンツＩＤを発見しない場合は（ＳＥ−２、Ｎｏ）、当該コンテンツＩＤのエントリを作成し、購入者ＩＤと購入日時を登録し（ＳＥ−７）、処理を終了する。
【０１２８】
ＳＥ−３に戻って、ランキング更新手段１０２ｊは、読み出した購入者リストから、受信したリスト情報または試用コンテンツデータに格納された購入者ＩＤを検索する（ＳＥ−４）。
【０１２９】
ランキング更新手段１０２ｊは、購入者ＩＤを発見しない場合は（ＳＥ−５、Ｎｏ）、該当エントリのカウンタをインクリメントし、購入者リストに購入者ＩＤを追加する（ＳＥ−６）。
【０１３０】
一方、ランキング更新手段１０２ｊは、購入者ＩＤを発見した場合は（ＳＥ−５、Ｙｅｓ）、試用コンテンツデータの購入数を集計（カウント）せずに、当該購入者ＩＤが同一の購入用コンテンツデータについて、コンテンツ購入者が重複しているとして購入数の集計（カウント）から除外し、終了する。
【０１３１】
上記購入数の集計（カウント）は、購入者ＩＤと購入日時との両方が一致した場合に、購入数（カウント）の集計から除外することとしてもよい。ここで、リスト情報または試用コンテンツデータの伝搬と重複購入者のカウント排除の仕組みを、図１２を用いて説明する。図１２は、リスト情報または試用コンテンツデータの伝搬と重複購入者のカウント排除の仕組みを示す概念図である。なお以下の説明では、リスト情報のみを交換するものとして説明するが、試用コンテンツデータを交換する場合も、重複購入者のカウント排除の仕組みに変わりはない。
【０１３２】
図１２に示すように、利用者Ａ（購入者ＩＤがＡである利用者）は、購入用コンテンツａおよびｃを購入し、利用者Ｂ（購入者ＩＤがＢである利用者）は、購入用コンテンツｂおよびｃを購入し、利用者Ｃ（購入者ＩＤがＣである利用者）は、購入用コンテンツｂを購入している。ここでは、他の者（利用者Ｄ，利用者Ｅ，利用者Ｆ，利用者Ｇ，および利用者Ｈ）は、購入用コンテンツを購入していないとする。
【０１３３】
つぎに、利用者Ｄは、利用者Ａからリスト情報（ａ，ｃ）を受信し、利用者Ｂからリスト情報（ｂ，ｃ）を受信した。また、利用者Ｅ、利用者Ｆ、および利用者Ｇの各利用者は、利用者Ｃからリスト情報（ｂ）それぞれを受信した。
【０１３４】
そして、利用者Ｈは、利用者Ｄからリスト情報（ａ，ｂ，ｃ）を、利用者Ｅ、利用者Ｆ、および利用者Ｇからリスト情報（ｂ）をそれぞれ受信したものとする。
【０１３５】
その結果、単純な計算によると、購入用コンテンツａについては１件、購入用コンテンツｂについては４件、購入用コンテンツｃについては１件、カウントされる。よってランキングは、購入用コンテンツｂが最上位となるが、これでは、正確に購入用コンテンツを購入した人数を反映したものとはいえない。
【０１３６】
そこで、各リスト情報には、購入者ＩＤまたは購入日時を含む追加情報を付加しておき、個々の購入用コンテンツごとに誰が購入したか（実際にはＩＤのみで匿名性あり）を把握し、重複する購入者からの購入情報を排除するようにランキング更新手段１０２ｊを構成する。
【０１３７】
つまり、図１２の例によると、利用者Ｄが受信したリスト情報には、購入用コンテンツａに関しては、利用者Ａの購入者情報が付加されており、購入用コンテンツｂに関しては、利用者Ｂと利用者Ｃの購入者情報が付加されており、購入用コンテンツｃに関しては、利用者Ａと利用者Ｂの購入情報が付加されている。
【０１３８】
そのため購入用コンテンツｂに関して、利用者Ｅ、利用者Ｆ、および利用者Ｇからリスト情報（ｂ）をそれぞれ受信した場合であっても、ランキング更新手段１０２ｊは、最初の１件以降を、購入者同一として、集計のカウントから排除される。
【０１３９】
それとは反対に、利用者Ｄから購入用コンテンツｃに関して受信した場合は、購入者リストには、利用者Ａと利用者Ｂが挙げられているので、ランキング更新手段１０２ｊは、２度インクリメントし、２件としてカウントする。
【０１４０】
上記ランキング更新手段１０２ｊの処理の結果、購入用コンテンツａに関しては１件、購入用コンテンツｂに関しては２件、購入用コンテンツｃに関しては２件と集計され、ｂとｃが同列で最上位となり、ａが最下位となるため、正確な購入用コンテンツ購入者数が反映される結果となる。
【０１４１】
以上で、ランキング更新処理の詳細についての説明を終了する。
［匿名性確保処理］
匿名性確保の為の処理の詳細について図１３から図１６を参照して説明する。
【０１４２】
試用コンテンツデータまたはリスト情報を交換して、すぐにその情報がランキングに反映されてしまうと、どの携帯電話端末と交信し、どのような情報を交換したかが利用者に分かってしまい、匿名性を害するおそれがある。
【０１４３】
そのため、匿名性確保のための処理として、本発明の実施の形態は、ランキング更新処理の交信端末台数による制御または時間的制御を備える。
【０１４４】
まず、ランキング更新処理の交信端末台数による制御について、図１３と図１４を参照して、説明する。図１３は、ランキング更新処理の更新端末台数による制御を示すフローチャートである。なお、以下の説明では、コンテンツデータリスト交換手段１０２ｂまたは試用コンテンツデータ交換手段１０２ｃの処理により交換するリスト情報または試用コンテンツデータを単に「情報」と略して説明を行う。
【０１４５】
図１３に示すように、ランキング更新手段１０２ｊは、コンテンツデータリスト交換手段１０２ｂまたは試用コンテンツデータ交換手段１０２ｃがランキング更新手段１０２ｊにより情報交換を行うまで、処理を待ち続ける（ＳＦ−１、Ｎｏ）。
【０１４６】
つぎに、ランキング更新手段１０２ｊは、コンテンツデータリスト交換手段１０２ｂまたは試用コンテンツデータ交換手段１０２ｃにより新たな情報を交換した場合は、新着情報ありと判断する（ＳＦ−１、Ｙｅｓ）。
【０１４７】
そして、ランキング更新手段１０２ｊは、情報交換を行った端末が２台以上であるか否かを判断する（ＳＦ−２）。
【０１４８】
ここで、ランキング更新手段１０２ｊは、情報交換した携帯電話端末１００ａ，ｂが、１台のみであれば、再びランキング更新処理を待ち続ける（ＳＦ−２，Ｙｅｓ）。一方、コンテンツデータリスト交換手段１０２ｂまたは試用コンテンツデータ交換手段１０２ｃにより、複数台と情報交換を行ったと判断した場合には（ＳＦ−２、Ｙｅｓ）、ランキング更新手段１０２ｊは、ランキング更新処理を実行し、新着情報をランキング情報に反映させる（ＳＦ−３）。
【０１４９】
これにより、複数端末と更新を行った場合にだけランキングの更新が行われるため、どの携帯電話端末と、つまり誰と情報交換を行ったのか判断が難しくなるため、匿名性を確保することができる。
【０１５０】
図１３を用いて説明したランキング更新処理の３台端末による制御シーケンスを、図１４を参照して説明する。図１４は、３台の本携帯電話端末間における通信制御シーケンス図である。
【０１５１】
図１４に示すように、まず、制御側携帯電話端末１００−２は、コンテンツデータリスト交換手段１０２ｂまたは試用コンテンツデータ交換手段１０２ｃの処理により、制御側携帯電話端末１００−１とリスト情報または試用コンテンツデータの情報交換を行う（ＳＩ−１）。
【０１５２】
ここで、制御側携帯電話端末１００−２は、ランキング更新手段１０２ｊの処理により、すぐにランキングデータを更新せず、複数端末と情報交換を行うまで、ランキング更新処理を遅延させる。
【０１５３】
つづいて、制御側携帯電話端末１００−２は、コンテンツデータリスト交換手段１０２ｂまたは試用コンテンツデータ交換手段１０２ｃの処理により、制御側携帯電話端末１００−３とリスト情報または試用コンテンツデータの情報交換を行う（ＳＩ−２）。
【０１５４】
そして、制御側携帯電話端末１００−２は、ランキング更新手段１０２ｊの処理により、ランキング更新処理を実行する（ＳＩ−３）。
【０１５５】
このことにより、制御側携帯電話端末１００−２の利用者は、どの携帯電話端末から情報が送られてきたのか、または、その情報の内容はどういうものであるのか特定することが難しくなり、匿名性を維持できるという効果を奏する。
【０１５６】
ここでは、所定の端末が２台の場合のみを示したが、予め設定される台数は、複数台数のうち何台でもよく、また同時に所定の複数台と情報交換を行った場合にだけ、ランキングを更新する構成としてもよい。
【０１５７】
つづいて、ランキング更新処理の時間的制御について、図１５と図１６を参照して説明する。図１５は、ランキング更新遅延処理の更新端末台数による制御を示すフローチャートである。
【０１５８】
図１５に示すように、ランキング更新手段１０２ｊは、予め反映待ち時間の設定を利用者等に行わせる（ＳＧ−１）。
【０１５９】
つぎに、ランキング更新手段１０２ｊは、コンテンツデータリスト交換手段１０２ｂまたは試用コンテンツデータ交換手段１０２ｃがランキング更新手段１０２ｊにより情報交換を行うまで、処理を待ち続ける（ＳＧ−２、Ｎｏ）。
【０１６０】
そして、ランキング更新手段１０２ｊは、コンテンツデータリスト交換手段１０２ｂまたは試用コンテンツデータ交換手段１０２ｃにより新たな情報を交換した場合は、新着情報ありと判断する（ＳＧ−１、Ｙｅｓ）。
【０１６１】
そして、ランキング更新手段１０２ｊは、反映待ち時間を計測するためのタイマをスタートさせる（ＳＧ−３）。
【０１６２】
そして、ランキング更新手段１０２ｊは、タイマが所定の反映待ち時間を経過するまで、処理を待ち続ける（ＳＧ−４、Ｎｏ）。
【０１６３】
ランキング更新手段１０２ｊは、タイマが所定の反応待ち時間を経過したと判断した場合には（ＳＧ−４、Ｙｅｓ）、ランキング更新手段１０２ｊは、ランキング更新処理を実行し、新着情報をランキング情報に反映させる（ＳＧ−５）。
【０１６４】
図１５を用いて説明したランキング更新遅延処理の３台端末による制御シーケンスを、図１６を参照して説明する。図１６は、３台の本携帯電話端末間におけるランキング更新遅延処理による通信制御シーケンス図である。
【０１６５】
図１６に示すように、まず、制御側携帯電話端末１００−２は、コンテンツデータリスト交換手段１０２ｂまたは試用コンテンツデータ交換手段１０２ｃの処理により、制御側携帯電話端末１００−１とリスト情報または試用コンテンツデータの情報交換を行う（ＳＨ−１）。
【０１６６】
ここで、制御側携帯電話端末１００−２は、ランキング更新手段１０２ｊの処理により、すぐにランキングデータを更新せず、タイマをスタートさせ、反応待ち時間の計測を開始し、反応待ち時間が経過するまでランキング更新処理を遅延させる。
【０１６７】
つづいて、制御側携帯電話端末１００−２は、コンテンツデータリスト交換手段１０２ｂまたは試用コンテンツデータ交換手段１０２ｃの処理により、制御側携帯電話端末１００−３とリスト情報または試用コンテンツデータの情報交換を行う（ＳＨ−２）。
【０１６８】
そして、制御側携帯電話端末１００−２は、ランキング更新手段１０２ｊの処理により、所定の反応待ち時間が経過したと判断すると、ランキング更新処理を実行する（ＳＨ−３）。
【０１６９】
以上により、所定の反応待ち時間を経過するまでの間、リスト情報または試用コンテンツ情報を蓄積し、所定の反応待ち時間を経過したとき初めて、ランキングの更新が行われるため、どの携帯電話端末と、つまり誰と情報交換を行ったのか判断が難しくなるため、匿名性を確保することができる。
【０１７０】
これにて、匿名性確保処理の説明を終える。
［情報補完処理］
次に、未取得の試用コンテンツデータを取得するための試用コンテンツデータ取得処理の詳細について図１７および図１８を参照して説明する。図１７は、本実施の形態における本システムの試用コンテンツデータ取得（補完）システムの一例を示す概念図である。
【０１７１】
試用コンテンツデータは音声・映像・静止画などの再生用ファイルであるのに比べて、リスト情報はテキストファイル等の用量の小さいファイルであるため、ピアツーピア通信において、すれ違いざま等の場合で、リスト情報のみが交換され、試用コンテンツデータの交換は間に合わない場合が発生することがある。
【０１７２】
そこで、図１７に示すように、携帯電話端末１００ａ，ｂがある購入用コンテンツデータのリスト情報のみを受信しており、その購入用コンテンツデータに対応する試用コンテンツデータを取得していない場合には、ホットスポットなどの無線／有線ネットワーク接続拠点から、ネットワーク３００を介してコンテンツサーバ装置２００に接続し、未取得の試用コンテンツデータをダウンロード（補完）することができるように構成する。ここで、試用コンテンツデータ取得処理の詳細について、図１８を参照して説明する。図１８は、ネットワークによる試用コンテンツデータ取得処理のフローチャートである。
【０１７３】
図１８に示すように、試用コンテンツデータ取得手段１０２ｅは、ホットスポット等のネットワーク接続拠点に入ったことなどにより、ネットワーク接続情報か否かを判断する（ＳＪ−１）。
【０１７４】
つぎに、試用コンテンツデータ取得手段１０２ｅは、ネットワーク接続状態でない場合は（ＳＪ−１、Ｎｏ）、処理を待ち、ネットワーク接続状態と判断した場合には（ＳＪ−１、Ｙｅｓ）、コンテンツデータ記憶手段１０６ａとリスト情報記憶手段１０６ｃとを参照し、未取得の試用コンテンツデータがあるかどうか判断する（ＳＪ−２）。
【０１７５】
そして、試用コンテンツデータ取得手段１０２ｅは、未取得試用コンテンツデータがない場合には（ＳＪ−２、Ｎｏ）、ＳＪ−１に戻り、未取得試用コンテンツデータありと判断した場合は（ＳＪ−２、Ｙｅｓ）、試用コンテンツデータ取得手段１０２ｅは、ネットワーク３００を介してコンテンツサーバ装置２００から、試用コンテンツデータをダウンロード取得する（ＳＪ−３）。
【０１７６】
これにて、試用コンテンツデータ取得処理が終了する。
【０１７７】
また、上記と同様のシステム構成で、他の実施例として、リスト情報をダウンロードできるよう構成してもよい。ここで、図１９は、他ユーザリスト情報補完システムの一例を示す概念図である。
【０１７８】
図１９に示すように、携帯電話端末１００は、ホットスポット等のネットワーク接続拠点に入った場合に、コンテンツサーバ装置２００からネットワークを介して他ユーザリスト情報を取得するよう構成する。ここで、リスト情報補完処理の詳細について、図２０を参照して説明する。図２０は、ネットワークによるリスト情報補完処理のフローチャートである。
【０１７９】
図２０に示すように、コンテンツデータリスト交換手段１０２ｂは、ホットスポット等のネットワーク接続拠点に入ったことなどにより、ネットワーク接続情報か否かを判断する（ＳＫ−１）。
【０１８０】
つぎに、コンテンツデータリスト交換手段１０２ｂは、ネットワーク接続状態でない場合は（ＳＫ−１、Ｎｏ）、処理を待ち、ネットワーク接続状態と判断した場合には（ＳＫ−１、Ｙｅｓ）、ＳＫ−２以下の処理を行う。
【０１８１】
携帯電話端末１００は、コンテンツデータリスト交換手段１０２ｂの処理により、ネットワーク３００を介して、コンテンツデータ記憶手段１０６ａにて記憶された購入用コンテンツデータおよび試用コンテンツデータに関するリスト情報をコンテンツサーバ装置２００へ送信する（ＳＫ−２）。
【０１８２】
つづいて、リスト情報を受信したコンテンツサーバ装置２００は、他ユーザリスト情報データベースにて記憶された購入用コンテンツデータおよび試用コンテンツデータに関する他ユーザリスト情報を、ネットワーク３００を介して、携帯電話端末１００に送信する（ＳＫ−３）。
【０１８３】
ここで、コンテンツサーバ装置２００は、コンテンツサーバ装置２００の他ユーザリスト情報と携帯電話端末１００のリスト情報の差分をとり、調停を図った他ユーザリスト情報を送信することとしてもよく、コンテンツサーバ装置２００は、そのまま他ユーザリスト情報を携帯電話端末１００に送信し、他ユーザリスト情報を受信した携帯電話端末１００が自己のリスト情報と他ユーザリスト情報の差分をとる構成としてもよい。
【０１８４】
つづいて、コンテンツサーバ装置２００は、ネットワーク３００を介して、受信したリスト情報に基づいて、携帯電話端末１００に対して試用コンテンツデータを送信する（ＳＫ−４）。
【０１８５】
これにて、試用コンテンツデータ取得処理が終了する。
【０１８６】
これにより、利用者は、行動範囲に含まれない遠隔利用者のリスト情報を取得でき、新たなランキングを得ることができる。
【０１８７】
これにて、データ補完処理の説明を終了する。
［起動制御処理］
次に、起動時間処理の詳細について図２１および図２２を参照して説明する。図２１は、無意識モードを意識モード設定画面の一例を示す図である。また、図２２は、本実施の形態における本システムの起動時間制御概念を示す概念図である。
【０１８８】
図２１に示すように、利用者は、意識モードと無意識モードを選択することができ、意識モードを選択した場合は、ピアツーピア通信手段１０２ｉの処理による起動時間制御が実現し、無意識モードを選択した場合は、ピアツーピア通信手段１０２ｉは、起動時間制御を行わない。
【０１８９】
ここで、ピアツーピア通信手段１０２ｉは、端末検知手段１０２ａ、コンテンツデータリスト交換手段１０２ｂ、または試用コンテンツデータ交換手段１０２ｃを起動する場所および／または時間を制御する起動制御手段を備える。
【０１９０】
図２２に示すように、利用者が無意識モードを選択している場合には、起動制御機能は実現されず、携帯電話端末１００は、すれ違いざまなど短時間の情報交換場面では、コンテンツデータリスト交換手段１０２ｂの処理により、リスト情報をピアツーピア通信手段１０２ｉにより交換する。また、携帯電話端末１００は、立ち止まっているときなど比較的長時間の情報交換場面では、コンテンツデータリスト交換手段１０２ｂの処理によるリスト交換処理に続き、試用コンテンツデータ交換手段１０２ｃの処理により、試用コンテンツデータも自動的無意識的に交換する。
【０１９１】
一方、利用者が意識モードを選択している場合には、ピアツーピア通信手段１０２ｉによる起動時間制御機能が実現し、携帯電話端末１００は、ピアツーピア通信手段１０２ｉの処理により、ある場所または時間を特定して、特定の利用者から目的のリスト情報または試用コンテンツデータを取得する。
【０１９２】
このことにより、利用者は、特定の人とだけ情報を交換したいなどの情報交換場面設定を行うことができ、利用者が得たいランキング等の情報が得られる一方、自己の情報の流出を制限することができる。
【０１９３】
これにて、起動時間制御の説明を終える。
［表示処理］
ランキング表示手段１０２ｍ等の表示手段により、表示装置にランキング結果等が表示された例を、図を参照して説明する。図１０、図２１、図２３〜図２８は、表示手段により表示された携帯電話端末１００の表示画面例を示す図である。
【０１９４】
図２３は、メイン画面であり、本実施の形態においては、（１）マイリスト、（２）人気ランキング、（３）設定の項目が表示される。
【０１９５】
利用者が（１）マイリストの項目を選択すると、図２４に示すように、ランキング表示手段１０２ｍは、コンテンツデータ記憶手段１０６ａを参照し、利用者が購入した購入用コンテンツを示す。
【０１９６】
また利用者が、（２）人気ランキングの項目を選択すると、図１０に示すように、ランキング表示手段１０２ｍは、ランキングデータ記憶手段１０６ｂを参照し、ランキングデータを表示する。ここで、ランキング表示手段１０２ｍは、コンテンツデータ記憶手段１０６ａを参照し、試用コンテンツデータが格納されている場合には、購入用コンテンツ欄に図１０で示すように、再生確認用アイコンを表示する。これにより、利用者は、試用コンテンツを再生してみることができるかどうか判断できる。
【０１９７】
また利用者が、（３）設定の項目を選択すると、ランキング表示手段１０２ｍは、図２５に示すように設定画面を表示する。この実施の形態においては、（１）モード、（２）ランキング、（３）ユーザの項目が表示される。
【０１９８】
ここで利用者が、（１）モードの項目を選択すると、図２１に示すように、ピアツーピア通信手段１０２ｉによる起動制御機能を実現するか選択ための意識モード／無意識モード選択画面が表示される。
【０１９９】
また、利用者が、（２）ランキングの項目を選択すると、図２６に示すように、ランキング条件設定手段１０２ｄは、利用者にランキング条件を設定させるための設定画面を表示する。ここで、図２６に示す例では、利用者は、ランキング条件として、更新間隔として１週間、性別として男性、年齢として６０歳代、地域として福岡をしている。このように、設定されたランキング条件は、ランキング更新手段１０２ｊの処理によりランキングを更新する際に、リスト情報に付加された利用者属性情報から、設定されたランキング条件を満たすもののみをランキングにカウントする際に参照される。
【０２００】
また、利用者が、（３）ユーザ情報の項目を選択すると、利用者属性情報設定手段１０２ｒは、利用者に利用者属性情報を設定させるための設定画面を表示する。ここで、図２７に示す例では、利用者は、性別として女性、年齢として２４歳、地域として神奈川を選択している。このように入力された利用者属性情報は、コンテンツデータリスト交換手段１０２ｂの処理により、コンテンツデータリストを交換する際に、リスト情報に付加して、送信するよう構成してもよい。
【０２０１】
以上が、ランキング表示手段１０２ｍ等の表示手段による表示出力例であり、利用者がキーパッド１４等を介して携帯電話端末１００を操作する場合の操作例である。
【０２０２】
ここで、上記いずれの画面においても、取得通知アイコン表示手段１０２ｋは、試用コンテンツデータ交換手段１０２ｃにより試用コンテンツデータを取得した際に、取得を通知するための取得通知アイコンを表示装置に表示する。ここで、図２８に示すように、新しく取得された試用コンテンツデータがあると、新着情報を利用者に通知するために、取得通知アイコンＭＢ−２が表示される。これにより、利用者はいつでも、新着試用コンテンツデータが取得したか否かを判断することができ、新着試用コンテンツの再生をすることができるので、購入用コンテンツデータの購入につながるという効果を奏する。
【０２０３】
また、携帯電話端末１００は、ネットワーク３００を介して、店舗に設置された店舗サーバ装置からクーポン情報を取得し、クーポン情報を取得した場合に、クーポン情報を通知するためのクーポンアイコンを表示装置に表示するよう構成してもよい。これにより、利用者は、お試し券などのクーポン情報のサービス内容を確認してから、購入するか決めることができ、より消費行動に繋がりやすいという効果を奏する。
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０２０４】
例えば、上述したピアツーピア通信手段は、例えばＩＥＥＥ８０２．１１標準規格に準拠したＷｉ−ｆｉ方式やＢｌｕｅｔｏｏｔｈ（Ｒ）等の通信手段でもよい。ここで、図２９を参照してピアツーピア通信手段をＷｉ−ｆｉ方式で実現した場合の他の実施の形態について説明する。図２９は、他の実施の形態における本システムのピアツーピア通信の一例を示す概念図である。
【０２０５】
図２９に示すように、本携帯電話端末では、ＩＥＥＥ８０２．１１はアドホック（Ａｄ−ｈｏｃ）モードで実行されており、アクセスポイントを必要とせず、携帯電話端末同士で通信を行うことができる。
【０２０６】
図２９左図に示すように、本実施の形態の試用コンテンツデータ交換システム構成は，便宜的にアクセスポイント（ＡＰ：Ａｃｃｅｓｓ  Ｐｏｉｎｔ）と位置づけられる携帯電話端末（Ａ）と、その電波到達範囲内に存在するステーション（ＳＴＡ：Ｓｔａｔｉｏｎ）と位置づけられる携帯電話端末（Ｂ，Ｃ，Ｄ，Ｅ）からなる。
【０２０７】
また、図２９右図に示すように、上記システム構成配置となる場合、携帯電話端末１００は、携帯電話端末（Ａ）から携帯電話端末（Ｂ，Ｃ，Ｄ，Ｅ）へは、ＡＰ動作を行うためマルチキャスト（Ｍｕｌｔｉｃａｓｔ）通信を行い、電話端末（Ｂ，Ｃ，Ｄ，Ｅ）から携帯電話端末（Ａ）へは、ＳＴＡ動作を行いユニキャスト（Ｕｎｉｃａｓｔ）通信を行う。
【０２０８】
また、上記実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０２０９】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０２１０】
また、携帯電話端末１００に関して、図示の各構成要素は機能概略的なものであり、必ずしも物理的に図示の如く構成されていることを要しない。
【０２１１】
例えば、携帯電話端末１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて携帯電話端末１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２１２】
また、このコンピュータプログラムは、携帯電話端末１００に対して任意のネットワーク３００を介して接続されたアプリケーションプログラムサーバに記憶されていてもよく、必要に応じてその全部または一部をダウンロードすることも可能である。
【０２１３】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２１４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２１５】
記憶部１０６に格納される各種のデータベース等（コンテンツデータ記憶手段１０６ａ〜利用者属性情報記憶手段１０６ｄ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０２１６】
また、携帯電話端末１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０２１７】
更に、装置の分散・統合の具体的形態は図示するものに限られず、その全部または一部を、各種の付加等に応じた任意の単位で、機能的または物理的に分散・統合して構成することができる。
【産業上の利用可能性】
【０２１８】
以上のように、本発明にかかる携帯電話端末、試用コンテンツデータ交換システム、および、試用コンテンツデータ交換方法は、情報技術分野に有用であり、特に、携帯電話通信産業に適している。
【図面の簡単な説明】
【０２１９】
【図１】本発明の基本原理を示すシステム構成図
【図２】本携帯電話端末のハードウェア構成の一例を示す物理ブロック図
【図３】本発明が適用される本携帯電話端末の論理構成の一例を示す論理ブロック図
【図４】ランキングデータ記憶手段に格納されるランキングデータを格納するランキングテーブルおよび購入者リストの一例を示す図
【図５】本実施の形態における本携帯電話端末の試用コンテンツデータ／コンテンツデータリスト交換処理の一例を示すフローチャート
【図６】２台の本携帯電話端末間における通信制御処理のフローを示す通信制御シーケンス図
【図７】３台の本携帯電話端末間における通信制御処理のフローを示す通信制御シーケンス図
【図８】本実施の形態における本システムのデータ取得処理からランキング表示処理に至るまでの一例を示すフローチャート
【図９】試用コンテンツデータ構成を示す図
【図１０】取得通知アイコン表示手段の処理により、表示装置に再生確認用アイコンが表示されたランキング表示画面の一例を示す図
【図１１】本実施の形態における本システムのランキング更新処理の一例を示すフローチャート
【図１２】リスト情報または試用コンテンツデータの伝搬と重複購入者のカウント排除の仕組みを示す概念図
【図１３】ランキング更新処理の更新端末台数による制御を示すフローチャート
【図１４】３台の本携帯電話端末間における通信制御シーケンス図
【図１５】ランキング更新遅延処理の更新端末台数による制御を示すフローチャート
【図１６】３台の本携帯電話端末間におけるランキング更新遅延処理による通信制御シーケンス図
【図１７】本実施の形態における本システムの試用コンテンツデータ取得（補完）システムの一例を示す概念図
【図１８】ネットワークによる試用コンテンツデータ取得処理のフローチャート
【図１９】他ユーザリスト情報補完システムの一例を示す概念図
【図２０】ネットワークによるリスト情報補完処理のフローチャート
【図２１】無意識モードを意識モード設定画面の一例を示す図
【図２２】本実施の形態における本システムの起動時間制御概念を示す概念図
【図２３】表示手段により表示された携帯電話端末の表示画面例を示す図
【図２４】表示手段により表示された携帯電話端末の表示画面例を示す図
【図２５】表示手段により表示された携帯電話端末の表示画面例を示す図
【図２６】表示手段により表示された携帯電話端末の表示画面例を示す図
【図２７】表示手段により表示された携帯電話端末の表示画面例を示す図
【図２８】表示手段により表示された携帯電話端末の表示画面例を示す図
【図２９】他の実施の形態における本システムのピアツーピア通信の一例を示す概念図
【符号の説明】
【０２２０】
１１    ＣＰＵ
１２    ＳＤＲＡＭ
１３    ＦＬＡＳＨ  ＲＯＭ
１４    キーパッド
１５    ＬＣＤ
１６    無線ＬＡＮＩ／Ｆ
１７    アンテナ
１８    携帯網通信Ｉ／Ｆ
１９    アンテナ
２０    ＳＤカードＩ／Ｆ
２１    ＳＤカード
２２    マイク
２３    スピーカ
１００    携帯電話端末
１０２    制御部
１０２ａ    端末検知手段
１０２ｂ    コンテンツデータリスト交換手段
１０２ｃ    試用コンテンツデータ交換手段
１０２ｄ    ランキング条件設定手段
１０２ｅ    試用コンテンツデータ取得手段
１０２ｆ    購入用コンテンツデータ再生手段
１０２ｇ    操作情報保存手段
１０２ｉ    ピアツーピア通信手段
１０２ｊ    ランキング更新手段
１０２ｋ    取得通知アイコン表示手段
１０２ｍ    ランキング表示手段
１０２ｎ    試用コンテンツデータ再生手段
１０２ｐ    購入用コンテンツデータ購入手段
１０２ｒ    利用者属性情報設定手段
１０６    記憶部
１０６ａ    コンテンツデータ記憶手段
１０６ｂ    ランキングデータ記憶手段
１０６ｃ    リスト情報記憶手段
１０６ｄ    利用者属性情報記憶手段
２００    コンテンツサーバ装置
２５０    データベース
３００    ネットワーク
【図１】
2008003981.tif 000003
【図２】
2008003981.tif 000004
【図３】
2008003981.tif 000005
【図４】
2008003981.tif 000006
【図５】
2008003981.tif 000007
【図６】
2008003981.tif 000008
【図７】
2008003981.tif 000009
【図８】
2008003981.tif 000010
【図９】
2008003981.tif 000011
【図１０】
2008003981.tif 000012
【図１１】
2008003981.tif 000013
【図１２】
2008003981.tif 000014
【図１３】
2008003981.tif 000015
【図１４】
2008003981.tif 000016
【図１５】
2008003981.tif 000017
【図１６】
2008003981.tif 000018
【図１７】
2008003981.tif 000019
【図１８】
2008003981.tif 000020
【図１９】
2008003981.tif 000021
【図２０】
2008003981.tif 000022
【図２１】
2008003981.tif 000023
【図２２】
2008003981.tif 000024
【図２３】
2008003981.tif 000025
【図２４】
2008003981.tif 000026
【図２５】
2008003981.tif 000027
【図２６】
2008003981.tif 000028
【図２７】
2008003981.tif 000029
【図２８】
2008003981.tif 000030
【図２９】
2008003981.tif 000031